(57)【要約】【課題】ヒト化シグナル調節タンパク質遺伝子を有する非ヒト動物を提供する。【解決手段】本発明は、とりわけ、移植片生着、食作用の活性化およびシグナル伝達におけるアッセイのための、シグナル調節タンパク質（例えば、ＳＩＲＰ）をコードするヒト化遺伝物質を有する改善および／または操作された非ヒト動物を提供する。本発明は、非ヒト動物においてヒト造血細胞を維持するために、特に有用である。特に、本発明は、非ヒト動物の細胞の原形質膜表面上のヒト化タンパク質の発現を生じるげっ歯類ＳＩＲＰα遺伝子のヒト化を包含する。【選択図】なし【特許請求の範囲】
【請求項１】
げっ歯類であって、そのゲノムが、
ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換え
を含み、
前記ヒト化ＳＩＲＰα遺伝子は、前記内因性げっ歯類ＳＩＲＰα遺伝子座においてげっ歯類ＳＩＲＰαプロモーターに作動可能に連結され、かつ前記げっ歯類において、前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質を発現し、そして、前記げっ歯類がラットである、げっ歯類。
【請求項２】
前記ヒト化ＳＩＲＰα遺伝子が、前記げっ歯類ＳＩＲＰα遺伝子のエクソン１、５、６、７および８を含む、請求項１に記載のげっ歯類。
【請求項３】
前記ヒトＳＩＲＰαタンパク質の細胞外部分が、配列番号４に示されるアミノ酸配列のアミノ酸２８〜３６２を含む、請求項１または２に記載のげっ歯類。
【請求項４】
げっ歯類ＳＩＲＰαタンパク質を発現しない、請求項１〜３のいずれか一項に記載のげっ歯類。
【請求項５】
単離されたげっ歯類細胞または組織であって、そのゲノムが、
ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換え
を含み、
前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記単離されたげっ歯類細胞または組織がラット細胞または組織である、単離されたげっ歯類細胞または組織。
【請求項６】
前記ヒト化ＳＩＲＰα遺伝子が、前記げっ歯類ＳＩＲＰα遺伝子のエクソン１、５、６、７および８を含む、請求項５に記載の単離されたげっ歯類細胞または組織。
【請求項７】
げっ歯類ＳＩＲＰαタンパク質を発現しない、請求項５または６に記載の単離されたげっ歯類細胞または組織。
【請求項８】
げっ歯類を作製する方法であって、前記方法は、以下：
（ａ）げっ歯類胚性幹（ＥＳ）細胞中の内因性げっ歯類ＳＩＲＰα遺伝子座におけるげっ歯類ＳＩＲＰα遺伝子のエクソン２、３および４を、ヒトＳＩＲＰα遺伝子のエクソン２、３および４により置き換えて、ヒト化ＳＩＲＰα遺伝子を形成し、それにより前記ヒト化ＳＩＲＰα遺伝子を含む改変されたげっ歯類ＥＳ細胞を取得するステップであって、前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記げっ歯類ＥＳ細胞がラットＥＳ細胞である、ステップ；ならびに
（ｂ）（ａ）で取得された改変されたげっ歯類ＥＳ細胞を使用してげっ歯類を創出するステップであって、前記げっ歯類がラットである、ステップ
を含む、方法。
【請求項９】
ヒト造血細胞をげっ歯類中に生着させる方法であって、前記方法は、以下：
（ａ）請求項１〜４のいずれか一項に記載のげっ歯類を提供するステップ；および
（ｂ）１または複数のヒト造血細胞を前記げっ歯類中に移植するステップ
を含む、方法。
【請求項１０】
以下：
（ａ）１または複数のげっ歯類細胞を提供するステップであって、前記細胞のゲノムが、ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換えを含み、前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記１または複数のげっ歯類細胞がラット細胞である、ステップ；
（ｂ）ステップ（ａ）の１または複数の細胞を、標識された基質と共にインキュベートするステップ；ならびに
（ｃ）ステップ（ｂ）の１または複数の細胞による標識された前記基質の食作用を測定するステップ
を含む、方法。
【請求項１１】
以下：
（ａ）請求項１〜４のいずれか一項に記載のげっ歯類を提供するステップ；
（ｂ）前記げっ歯類を抗原に曝露させるステップ；および
（ｃ）前記げっ歯類の１または複数の細胞による前記抗原の食作用を測定するステップ
を含む、方法。
【請求項１２】
ヒトがん細胞を標的化する薬物候補の治療効力を評価する方法であって、前記方法は、以下：
（ａ）請求項１〜４のいずれか一項に記載のげっ歯類を提供するステップ；
（ｂ）１または複数のヒトがん細胞を前記げっ歯類中に移植するステップ；
（ｃ）前記ヒトがん細胞を標的化する薬物候補を前記げっ歯類に投与するステップ；および
（ｄ）前記げっ歯類中の前記ヒトがん細胞をモニタリングして、前記薬物候補の治療効力を決定するステップ
を含む、方法。
【発明の詳細な説明】
【技術分野】
【０００１】
関連出願への相互参照
この出願は、２０１３年９月２３日に出願された米国仮出願第６１／８８１，２６１号（この全体の内容は、参考として本明細書に援用される）の優先権の利益を主張する。
【背景技術】
【０００２】
免疫系は、複数の高度に調節されたプロセスに関与し、外来タンパク質を排除する際に有効な免疫応答を一緒になって生じる、いくつかの異なる細胞型から構成される。さらに、これらの同じ免疫細胞は、とりわけ、細胞−細胞相互作用を調節する調節性膜タンパク質のおかげで自己認識特性を有することが見出されている。これらの同じタンパク質は、移植片生着の重要な決定因子であると示唆されているので、かかる連絡は、かかる生物の生存に重要である。しかし、ｉｎ  ｖｉｖｏの系で、ヒト免疫細胞−細胞相互作用およびその調節の分子的局面を決定するものは存在しない。かかる系は、ｉｎ  ｖｉｖｏのヒト造血および免疫系関連の機能におけるアッセイ、新規治療およびワクチンの同定のための供給源を提供する。
【発明の概要】
【課題を解決するための手段】
【０００３】
本発明は、ヒト造血幹細胞の改善された生着を可能にするために、非ヒト動物を操作することが望ましいという認識を包含する。本発明はまた、ヒト化ＳＩＲＰα遺伝子を有するおよび／またはヒトもしくはヒト化ＳＩＲＰαタンパク質を他の方法で発現する、含有するもしくは産生する非ヒト動物が、例えば、ヒト造血幹細胞の生着における使用のために望ましいという認識を包含する。
【０００４】
一部の実施形態では、本発明の非ヒト動物は、ヒトＳＩＲＰαタンパク質の細胞外部分およびマウスＳＩＲＰαタンパク質の細胞内部分を含むＳＩＲＰαポリペプチドを発現する。
【０００５】
一部の実施形態では、ヒトＳＩＲＰαタンパク質の細胞外部分は、配列番号４中に現れるヒトＳＩＲＰαタンパク質の残基２８〜３６２に対応するアミノ酸を含む。
【０００６】
一部の実施形態では、ヒトＳＩＲＰαタンパク質の細胞外部分は、表３中に現れるヒトＳＩＲＰαタンパク質の対応する細胞外部分と少なくとも５０％、少なくとも５５％、少なくとも６０％、少なくとも６５％、少なくとも７０％、少なくとも７５％、少なくとも８０％、少なくとも８５％、少なくとも９０％、少なくとも９５％または少なくとも９８％のパーセント同一性を共有する。一部の実施形態では、ヒトＳＩＲＰαタンパク質の細胞外部分は、表３中に現れるヒトＳＩＲＰαタンパク質の対応する細胞外部分と、１００％の同一性を共有する（または同一である）。
【０００７】
一部の実施形態では、本発明の非ヒト動物は、内因性非ヒトＳＩＲＰαタンパク質をも発現しない。一部の実施形態では、この非ヒト動物はげっ歯類であり、内因性げっ歯類ＳＩＲＰαタンパク質をも発現しない。一部の実施形態では、この非ヒト動物はマウスであり、表３中に現れる配列を有する内因性マウスＳＩＲＰαタンパク質をも発現しない。
【０００８】
一部の実施形態では、本発明は、非ヒトＳＩＲＰαプロモーターに作動可能に連結したヒトＳＩＲＰα遺伝子のエクソン２、３および４を含むＳＩＲＰα遺伝子を含む非ヒト動物を提供する。
【０００９】
一部の実施形態では、本発明の非ヒト動物のＳＩＲＰα遺伝子は、内因性非ヒトＳＩＲＰα遺伝子のエクソン１、５、６、７および８を含む。
【００１０】
種々の実施形態では、本発明の非ヒト動物は、げっ歯類である。一部のある特定の実施形態では、本発明のげっ歯類は、マウスまたはラットから選択される。
【００１１】
一部の実施形態では、本発明は、本明細書に記載される非ヒト動物の遺伝子によってコードされるＳＩＲＰαポリペプチドを提供する。
【００１２】
一部の実施形態では、本発明は、本明細書に記載される非ヒト動物から単離された細胞または組織を提供する。一部の実施形態では、細胞は、リンパ球（例えば、Ｂ細胞またはＴ細胞）、骨髄性細胞（例えば、マクロファージ、好中球、顆粒球、骨髄樹状細胞およびマスト細胞）およびニューロンから選択される。一部の実施形態では、組織は、脂肪、膀胱、脳、乳房、骨髄、眼、心臓、腸、腎臓、肝臓、肺、リンパ節、筋肉、膵臓、血漿、血清、皮膚、脾臓、胃、胸腺、精巣、卵子および／またはそれらの組合せから選択される。
【００１３】
一部の実施形態では、本発明は、そのゲノムが、マウスＳＩＲＰαタンパク質の細胞内部分に連結したヒトＳＩＲＰαタンパク質の細胞外部分をコードするＳＩＲＰα遺伝子を含む、単離されたマウス細胞または組織を提供する。一部の実施形態では、本発明のＳＩＲＰα遺伝子は、マウスＳＩＲＰαプロモーターに作動可能に連結している。一部の実施形態では、本発明のＳＩＲＰα遺伝子は、ヒトＳＩＲＰα遺伝子のエクソン２、３および４を含む。
【００１４】
一部の実施形態では、本発明は、そのゲノムが、本明細書に記載されるＳＩＲＰα遺伝子を含む、非ヒト胚性幹（ＥＳ）細胞を提供する。一部の実施形態では、このＥＳ細胞は、非ヒトＳＩＲＰαプロモーターに作動可能に連結したヒトＳＩＲＰα遺伝子のエクソン２、３および４を含む。一部のある特定の実施形態では、このＥＳ細胞は、げっ歯類ＥＳ細胞である。一部の実施形態では、本発明の非ヒト胚性幹細胞は、マウスまたはラットの胚性幹細胞である。
【００１５】
一部の実施形態では、本発明は、本明細書に記載されるＳＩＲＰα遺伝子を含む非ヒト胚性幹細胞を含む、かかる非ヒト胚性幹細胞から作製された、かかる非ヒト胚性幹細胞から取得された、またはかかる非ヒト胚性幹細胞から生成された、非ヒト胚を提供する。一部の実施形態では、本発明の非ヒト胚は、げっ歯類胚である。一部の実施形態では、本明細書に記載されるげっ歯類胚は、マウスまたはラットの胚である。
【００１６】
一部の実施形態では、本発明は、内因性ＳＩＲＰα遺伝子座からＳＩＲＰαタンパク質を発現する非ヒト動物を作製する方法を提供し、このＳＩＲＰαタンパク質はヒト配列を含み、この方法は、ヒトＳＩＲＰαタンパク質を全体的にまたは部分的にコードするヌクレオチド配列を含むゲノム断片を用いて非ヒトＥＳ細胞において内因性ＳＩＲＰα遺伝子座を標的化するステップ；前記ヒト配列を含む内因性ＳＩＲＰα遺伝子座を含む改変された非ヒトＥＳ細胞を取得するステップ；および前記改変されたＥＳ細胞を使用して非ヒト動物を創出するステップを含む。
【００１７】
一部の実施形態では、前記ヌクレオチド配列は、ヒトＳＩＲＰα遺伝子のエクソン２、３および４を含む。一部の実施形態では、前記ヌクレオチド配列は、表３中に現れるヒトＳＩＲＰα遺伝子と少なくとも５０％、少なくとも５５％、少なくとも６０％、少なくとも６５％、少なくとも７０％、少なくとも７５％、少なくとも８０％、少なくとも８５％、少なくとも９０％、少なくとも９５％または少なくとも９８％同一な配列を有するヒトＳＩＲＰα遺伝子のエクソン２、３および４を含む。
【００１８】
一部の実施形態では、前記ヌクレオチド配列は、ヒトＳＩＲＰαタンパク質のアミノ酸残基２８〜３６２をコードする。一部の実施形態では、前記ヌクレオチド配列は、表３中に現れるヒトＳＩＲＰαタンパク質と少なくとも５０％、少なくとも５５％、少なくとも６０％、少なくとも６５％、少なくとも７０％、少なくとも７５％、少なくとも８０％、少なくとも８５％、少なくとも９０％、少なくとも９５％または少なくとも９８％同一な配列を有するヒトＳＩＲＰαタンパク質のアミノ酸残基２８〜３６２をコードする。
【００１９】
一部の実施形態では、本発明は、そのゲノムが、マウスＳＩＲＰαタンパク質の細胞内部分に連結したヒトＳＩＲＰαタンパク質の細胞外部分をコードするＳＩＲＰα遺伝子を含むマウスを提供する方法を提供し、この方法は、マウスのゲノムが、マウスＳＩＲＰαタンパク質の細胞内部分に連結したヒトＳＩＲＰαタンパク質の細胞外部分をコードするＳＩＲＰα遺伝子を含むようにこのゲノムを改変し、それによって前記マウスを提供するステップを含む。一部の実施形態では、このＳＩＲＰα遺伝子は、本明細書に記載されるＳＩＲＰα遺伝子である。一部の実施形態では、このＳＩＲＰα遺伝子は、ヒトＳＩＲＰα遺伝子のエクソン２、３および４を含む。
【００２０】
一部の実施形態では、本発明は、ヒト細胞をマウス中に生着させる方法を提供し、この方法は、そのゲノムが、マウスＳＩＲＰαタンパク質の細胞内部分に連結したヒトＳＩＲＰαタンパク質の細胞外部分をコードするＳＩＲＰα遺伝子を含むマウスを提供するステップ、および１または複数のヒト細胞をこのマウス中に移植するステップを含む。一部のある特定の実施形態では、この方法は、マウスにおける１または複数のヒト細胞の生着をアッセイするステップをさらに含む。一部のある特定の実施形態では、アッセイするこのステップは、１または複数のヒト細胞の生着を、１または複数の野生型マウスにおける生着と比較することを含む。一部のある特定の実施形態では、アッセイするこのステップは、１または複数のヒト細胞の生着を、そのゲノムが、マウスＳＩＲＰαタンパク質の細胞内部分に連結したヒトＳＩＲＰαタンパク質の細胞外部分をコードするＳＩＲＰα遺伝子を含まない１または複数のマウスにおける生着と比較することを含む。
【００２１】
一部の実施形態では、これらのヒト細胞は、造血幹細胞である。一部の実施形態では、これらのヒト細胞は、静脈内移植される。一部の実施形態では、これらのヒト細胞は、腹腔内移植される。一部の実施形態では、これらのヒト細胞は、皮下移植される。
【００２２】
一部の実施形態では、本発明は、そのゲノムが、マウスＳＩＲＰαタンパク質の細胞内部分に連結したヒトＳＩＲＰαタンパク質の細胞外部分をコードするＳＩＲＰα遺伝子を含む、１または複数の細胞を提供するステップ、この１または複数の細胞を、標識された基質と共にインキュベートするステップ、およびこの１または複数の細胞による標識された基質の食作用を測定するステップを含む方法を提供する。一部の実施形態では、これらの細胞は、マウス細胞である。
【００２３】
一部の実施形態では、この基質は、蛍光標識されている。一部の実施形態では、この基質は、抗体で標識されている。一部の実施形態では、この基質は、１または複数の赤血球である。一部の実施形態では、この基質は、１または複数の細菌細胞である。
【００２４】
一部の実施形態では、本発明は、そのゲノムが、マウスＳＩＲＰαタンパク質の細胞内部分に連結したヒトＳＩＲＰαタンパク質の細胞外部分をコードするＳＩＲＰα遺伝子を含むマウスを提供するステップ、このマウスを抗原に曝露させるステップ、およびこのマウスの１または複数の細胞による抗原の食作用を測定するステップを含む方法を提供する。一部の実施形態では、曝露させるこのステップは、蛍光標識された抗原にマウスを曝露させることを含む。一部の実施形態では、曝露させるこのステップは、抗原を含む１または複数の細胞にマウスを曝露させることを含む。一部の実施形態では、曝露させるこのステップは、抗原を含む１または複数のヒト細胞にマウスを曝露させることを含む。一部の実施形態では、曝露させるこのステップは、抗原を含む１または複数の細菌細胞にマウスを曝露させることを含む。
【００２５】
種々の実施形態では、本発明のＳＩＲＰα遺伝子は、ヒトＳＩＲＰα遺伝子のエクソン２、３および４を含む。種々の実施形態では、本発明のヒトＳＩＲＰαタンパク質の細胞外部分は、表３中に現れるヒトＳＩＲＰαタンパク質の残基２８〜３６２に対応するアミノ酸を含む。種々の実施形態では、本発明のＳＩＲＰα遺伝子は、マウスＳＩＲＰαプロモーターに作動可能に連結されている。
【００２６】
一部の実施形態では、本発明は、本明細書に記載される方法によって取得可能な非ヒト動物を提供する。一部のある特定の実施形態では、本発明の非ヒト動物は、内因性ＳＩＲＰαタンパク質の細胞外部分を検出可能には発現しない。
【００２７】
一部の実施形態では、本発明は、薬物またはワクチンの同定または検証のための方法を提供し、この方法は、薬物もしくはワクチンを本明細書に記載される非ヒト動物に送達するステップ、およびこの薬物もしくはワクチンに対する免疫応答、この薬物もしくはワクチンの安全性プロファイル、または疾患もしくは状態に対する影響のうち１つまたは複数をモニタリングするステップを含む。一部の実施形態では、安全性プロファイルをモニタリングするステップは、この非ヒト動物が、薬物もしくはワクチンを送達することの結果として、副作用または有害反応を示すか否かを決定することを含む。一部の実施形態では、副作用または有害反応は、罹患率、死亡率、体重における変更、１または複数の酵素（例えば、肝臓）のレベルの変更、１または複数の臓器の重量における変更、機能の喪失（例えば、感覚、運動、臓器など）、１または複数の疾患に対する増加した感受性、非ヒト動物のゲノムへの変更、摂食量における増加または減少、および１または複数の疾患の合併症から選択される。
【００２８】
一部の実施形態では、本発明は、医薬としての使用などの医療における使用のための薬物またはワクチンの開発における、本発明の非ヒト動物の使用を提供する。
【００２９】
一部の実施形態では、本発明は、ヒト細胞を標的化する治療薬物の効力を評価するための、本明細書に記載される非ヒト動物の使用を提供する。種々の実施形態では、本発明の非ヒト動物には、ヒト細胞が移植され、かかるヒト細胞を標的化する薬物候補が、動物に投与される。薬物の効力は、薬物の投与後に、非ヒト動物においてヒト細胞をモニタリングすることによって決定される。
【００３０】
種々の実施形態では、本発明の非ヒト動物は、げっ歯類、好ましくはマウスまたはラットである。
【００３１】
本出願で使用する場合、用語「約」および「およそ」は、等価物として使用される。約／およそを伴ってまたは伴わずに本出願において使用される任意の数字は、関連分野の当業者によって理解される任意の通常の変動をカバーする意味である。
【００３２】
本発明の他の特徴、目的および利点は、以下の詳細な説明において明らかである。しかし、詳細な説明は、本発明の実施形態を示してはいるが、限定としてではなく例示のみとして与えられていることを理解すべきである。本発明の範囲内の種々の変化および改変は、詳細な説明から当業者に明らかとなる。
【００３３】
本明細書に含まれる図面は、限定のためではなく例示のみを目的とする。
【図面の簡単な説明】
【００３４】
【図１】図１は、各エクソンに番号付けした、一定の拡大比ではない内因性マウスＳＩＲＰα遺伝子（上）の図を示す。ヒトＳＩＲＰα遺伝子のエクソン２〜４と部位特異的リコンビナーゼ認識部位（例えば、ｌｏｘＰ）が隣接するネオマイシン選択カセット（Ｕｂ−Ｎｅｏ）とを含有する、ヒト化内因性ＳＩＲＰα遺伝子（下）が示される。ヒトＳＩＲＰα遺伝子のエクソン２〜４の標的化された挿入は、ヒトＳＩＲＰαタンパク質に対応する細胞外領域を有するヒト化ＳＩＲＰα遺伝子を発現する内因性遺伝子を生じる。
【図２】図２は、野生型およびヒト化ＳＩＲＰα遺伝子についてヘテロ接合性のマウスのＳＩＲＰα発現のオーバーレイを示す図である。
【図３】図３は、ヒトＣＤ３４＋細胞を生着させた異なる系統のマウスにおけるＣＤ４５＋細胞のパーセントを示す図である。
【図４】図４は、ヒトＣＤ３４＋細胞を生着させた異なる系統のマウスにおけるＣＤ４５＋ＣＤ３＋細胞のパーセントを示す図である。
【図５】図５は、ヒトＣＤ３４＋細胞を生着させた異なる系統のマウスにおけるＣＤ４５＋ＣＤ１９＋細胞のパーセントを示す図である。
【図６】図６は、Ａｂ１が、ｈＣＤ３４＋を生着させたＳＩＲＰα  ＢＲＧマウスにおいて、用量依存的様式でＲａｊｉ腫瘍の成長を抑制したことを示す図である。Ｒａｊｉ腫瘍の体積を、腫瘍植え込みの３、６、９、１３、１６、２０、２３、２７、３０および３４日後に測定した。個々の動物についてのデータ（パネルＡ〜Ｄ）が示される。ｈＣＤ３４＋を生着させたＳＩＲＰα  ＢＲＧマウスに、０日目に、２×１０６のＲａｊｉ腫瘍細胞を皮下投与した。対照群は、抗体を受けなかった（ビヒクル対照）（パネルＡ）。実験群について、０日目に、マウスを、０．４ｍｇ／ｋｇにおける非結合対照Ａｂ（対照Ａｂ５）（パネルＢ）または０．４ｍｇ／ｋｇにおけるＡｂ１（パネルＣ）もしくは０．０４ｍｇ／ｋｇにおけるＡｂ１（パネルＤ）のＩＰ用量で処置し、その後、研究の間、１週間に２回の用量で処置した。全ての個々の試験群についての複合データを、図７に示す。
【図７】図７は、Ａｂ１が、ｈＣＤ３４＋を生着させたＳＩＲＰα  ＢＲＧマウスにおいて、対照と比較して、Ｒａｊｉ腫瘍の成長を有意に抑制したことを示す図である。データは、図６に示される１群当たりｎ＝４〜５匹のマウスからの複合データを示す。データは、平均（ＳＥＭ）として表され、分散分析（ＡＮＯＶＡ）および有意な影響を探索するための事後検定（二元配置ＡＮＯＶＡのためのＴｕｋｅｙ法）を使用して分析した。ビヒクル対照群、対照Ａｂ５群およびＡｂ１  ０．４ｍｇ／ｋｇ群中の１匹のマウスを、二元配置ＡＮＯＶＡによってデータを分析するために、早期の死亡に起因してこの複合グラフから排除した。
【図８】図８は、Ａｂ１が、ｈＣＤ３４＋を生着させたＳＩＲＰα  ＢＲＧマウスにおいて体重に影響を与えなかったことを示す図である。体重を、腫瘍植え込みの３、６、９、１３、１６、２０、２３、２７、３０および３４日後に測定した。個々の動物についてのデータ（パネルＡ〜Ｄ）を測定した。ｈＣＤ３４＋を生着させたＳＩＲＰα  ＢＲＧマウスに、０日目に、２×１０６のＲａｊｉ腫瘍細胞を皮下投与した。対照群は、抗体を受けなかった（ビヒクル対照）（パネルＡ）。実験群について、０日目に、マウスを、０．４ｍｇ／ｋｇにおけるＩｇＧ１非結合対照Ａｂ５（パネルＢ）または０．４ｍｇ／ｋｇにおけるＡｂ１（パネルＣ）もしくは０．０４ｍｇ／ｋｇにおけるＡｂ１（パネルＤ）のＩＰ用量で処置し、その後、研究の間、１週間に２回の用量で処置した。
【発明を実施するための形態】
【００３５】
定義
本発明は、特定の方法、記載される実験条件に限定されず、そのようなものとして、方法および条件は、変動し得る。本発明の範囲は特許請求の範囲によって規定されるので、本明細書で使用される専門用語は、特定の実施形態を記述することのみを目的としており、限定を意図しないこともまた、理解すべきである。
【００３６】
特記しない限り、本明細書で使用される全ての用語および語句は、逆が明確に示されない限り、またはそれらの用語もしくは語句が使用される文脈から明確に明らかでない限り、それらの用語または語句が当該分野において獲得している意味を含む。本明細書に記載される方法および材料と類似または等価な任意の方法および材料が、本発明の実施および試験において使用され得るが、特定の方法および材料が、ここに記載される。言及される全ての刊行物は、参照により本明細書に組み込まれる。
【００３７】
用語「およそ」とは、本明細書で目的の１または複数の値に適用される場合、述べられた参照値と類似した値を指す。ある特定の実施形態では、用語「およそ」または「約」とは、特記しない限り、または文脈から他の方法で明らかでない限り、（それ超またはそれ未満の）いずれかの方向での、述べられた参照値の２５％以内、２０％以内、１９％以内、１８％以内、１７％以内、１６％以内、１５％以内、１４％以内、１３％以内、１２％以内、１１％以内、１０％以内、９％以内、８％以内、７％以内、６％以内、５％以内、４％以内、３％以内、２％以内、１％以内またはそれ未満に入る値の範囲を指す（かかる数が可能な値の１００％を超える場合を除く）。
【００３８】
用語「生物学的に活性な」とは、本明細書で使用する場合、生物学的系において、ｉｎ  ｖｉｔｒｏでまたはｉｎ  ｖｉｖｏで（例えば、生物中で）活性を有する任意の作用因子の特徴を指す。例えば、生物中に存在する場合に、その生物内で生物学的影響を有する作用因子は、生物学的に活性であるとみなされる。特定の実施形態では、タンパク質またはポリペプチドが生物学的に活性である場合、このタンパク質またはポリペプチドの少なくとも１つの生物学的活性を共有するタンパク質またはポリペプチドの一部分は、典型的には、「生物学的に活性な」部分と呼ばれる。
【００３９】
用語「匹敵する」とは、本明細書で使用する場合、互いに同一でなくてもよいが、観察された差異または類似性に基づいて結論が合理的に引き出せるように、それらの間での比較を可能にするのに十分に類似している、２つまたはそれ超の作用因子、実体、状況、条件のセットなどを指す。当業者は、本文中で、２つまたはそれ超のかかる作用因子、実体、状況、条件のセットなどが匹敵するとみなされるために、どの程度の同一性が、任意の所与の場合において必要とされるかを理解する。
【００４０】
用語「保存的」とは、保存的アミノ酸置換を記述するために本明細書で使用する場合、類似の化学的特性（例えば、電荷および疎水性）を有する側鎖Ｒ基を有する別のアミノ酸残基による、１つのアミノ酸残基の置換を指す。一般に、保存的アミノ酸置換は、タンパク質の目的の機能的特性、例えば、受容体がリガンドに結合する能力を、実質的に変化させない。類似の化学的特性を有する側鎖を有するアミノ酸の群の例には、脂肪族側鎖、例えば、グリシン、アラニン、バリン、ロイシンおよびイソロイシン；脂肪族−ヒドロキシル側鎖、例えば、セリンおよびスレオニン；アミド含有側鎖、例えば、アスパラギンおよびグルタミン；芳香族側鎖、例えば、フェニルアラニン、チロシンおよびトリプトファン；塩基性側鎖、例えば、リシン、アルギニンおよびヒスチジン；酸性側鎖、例えば、アスパラギン酸およびグルタミン酸；ならびに硫黄含有側鎖、例えば、システインおよびメチオニンが含まれる。保存的アミノ酸置換群には、例えば、バリン／ロイシン／イソロイシン、フェニルアラニン／チロシン、リシン／アルギニン、アラニン／バリン、グルタミン酸／アスパラギン酸およびアスパラギン／グルタミンが含まれる。一部の実施形態では、保存的アミノ酸置換は、例えば、アラニンスキャニング変異誘発において使用されるような、タンパク質中の任意のネイティブ残基のアラニンによる置換であり得る。一部の実施形態では、参照により本明細書に組み込まれるＧｏｎｎｅｔら（１９９２年）Ｅｘｈａｕｓｔｉｖｅ  Ｍａｔｃｈｉｎｇ  ｏｆ  ｔｈｅ  Ｅｎｔｉｒｅ  Ｐｒｏｔｅｉｎ  Ｓｅｑｕｅｎｃｅ  Ｄａｔａｂａｓｅ、Ｓｃｉｅｎｃｅ  ２５６巻：１４４３〜４５頁に開示されるＰＡＭ２５０ログ−尤度マトリックスにおいて正の値を有する保存的置換が作製される。一部の実施形態では、この置換は、置換が、ＰＡＭ２５０ログ−尤度マトリックスにおいて負でない値を有する、中程度に保存的な置換である。
【００４１】
用語「破壊」とは、本明細書で使用する場合、ＤＮＡ分子との（例えば、遺伝子または遺伝子座などの内因性の相同な配列との）相同組換え事象の結果を指す。一部の実施形態では、破壊は、ＤＮＡ配列（複数可）の挿入、欠失、置換、置き換え、ミスセンス変異もしくはフレームシフト、またはそれらの任意の組合せを達成または示し得る。挿入は、内因性配列以外の起源のものであり得る、遺伝子全体または遺伝子の断片、例えば、エクソンの挿入を含み得る。一部の実施形態では、破壊は、遺伝子または遺伝子産物の（例えば、遺伝子によってコードされるタンパク質の）発現および／または活性を増加させ得る。一部の実施形態では、破壊は、遺伝子または遺伝子産物の発現および／または活性を減少させ得る。一部の実施形態では、破壊は、遺伝子またはコードされた遺伝子産物（例えば、コードされたタンパク質）の配列を変更し得る。一部の実施形態では、破壊は、遺伝子またはコードされた遺伝子産物（例えば、コードされたタンパク質）を短縮または断片化し得る。一部の実施形態では、破壊は、遺伝子またはコードされた遺伝子産物を延長させ得る；一部のかかる実施形態では、破壊は、融合タンパク質のアセンブリを達成し得る。一部の実施形態では、破壊は、遺伝子または遺伝子産物のレベルには影響を与え得るが、その活性には影響を与えなくてもよい。一部の実施形態では、破壊は、遺伝子または遺伝子産物の活性には影響を与え得るが、そのレベルには影響を与えなくてもよい。一部の実施形態では、破壊は、遺伝子または遺伝子産物のレベルに対して有意な影響を有さなくてもよい。一部の実施形態では、破壊は、遺伝子または遺伝子産物の活性に対して有意な影響を有さなくてもよい。一部の実施形態では、破壊は、遺伝子または遺伝子産物のレベルまたは活性のいずれかに対して有意な影響を有さなくてもよい。
【００４２】
語句「内因性遺伝子座」または「内因性遺伝子」とは、本明細書で使用する場合、本明細書に記載される破壊、欠失、置き換え、変更または改変の導入の前に、親または参照生物において見出される遺伝子座を指す。一部の実施形態では、この内因性遺伝子座は、天然に見出される配列を有する。一部の実施形態では、この内因性遺伝子座は野生型である。一部の実施形態では、この参照生物は野生型生物である。一部の実施形態では、この参照生物は、操作された生物である。一部の実施形態では、この参照生物は、（野生型であっても操作されていても）実験室で飼育した生物である。
【００４３】
語句「内因性プロモーター」とは、例えば野生型生物において、内因性遺伝子と天然に関連しているプロモーターを指す。
【００４４】
用語「異種」とは、本明細書で使用する場合、異なる供給源由来の作用因子または実体を指す。例えば、ポリペプチド、遺伝子もしくは遺伝子産物を参照して使用する場合、または特定の細胞もしくは生物中に存在する場合、この用語は、適切なポリペプチド、遺伝子もしくは遺伝子産物が、１）人の手によって操作されたこと；２）人の手を介して（例えば、遺伝子操作を介して）、細胞もしくは生物（またはその前駆体）中に導入されたこと；および／あるいは３）適切な細胞もしくは生物（例えば、適切な細胞型もしくは生物型）によって天然には産生されないまたはかかる細胞もしくは生物中には存在しないことを、明確にする。
【００４５】
用語「宿主細胞」とは、本明細書で使用する場合、異種（例えば、外因性）核酸またはタンパク質が導入された細胞を指す。当業者は、本開示を読めば、かかる用語が、特定の対象細胞を指すだけでなく、かかる細胞の子孫を指すためにも使用されることを理解する。ある特定の改変が、変異または環境的影響のいずれかに起因して、後続世代において生じ得るので、かかる子孫は、実際には、親細胞と同一でない可能性があるが、本明細書で使用される用語「宿主細胞」の範囲内になおも含まれる。一部の実施形態では、宿主細胞は、原核生物細胞もしくは真核生物細胞である、または原核生物細胞もしくは真核生物細胞を含む。一般に、宿主細胞は、その細胞が指定される生命の界に関わらず、異種の核酸またはタンパク質を受容および／または産生するために適切な任意の細胞である。例示的な細胞には、原核生物および真核生物（単細胞または多細胞）の細胞、細菌細胞（例えば、Ｅ．ｃｏｌｉ、Ｂａｃｉｌｌｕｓ  ｓｐｐ．、Ｓｔｒｅｐｔｏｍｙｃｅｓ  ｓｐｐ．などの株）、マイコバクテリア細胞、真菌細胞、酵母細胞（例えば、Ｓ．ｃｅｒｅｖｉｓｉａｅ、Ｓ．ｐｏｍｂｅ、Ｐ．ｐａｓｔｏｒｉｓ、Ｐ．ｍｅｔｈａｎｏｌｉｃａなど）、植物細胞、昆虫細胞（例えば、ＳＦ−９、ＳＦ−２１、バキュロウイルス感染した昆虫細胞、Ｔｒｉｃｈｏｐｌｕｓｉａ  ｎｉなど）、非ヒト動物細胞、ヒト細胞、または、例えば、ハイブリドーマもしくはクアドローマなどの細胞融合物が含まれる。一部の実施形態では、この細胞は、ヒト、サル、類人猿、ハムスター、ラットまたはマウスの細胞である。一部の実施形態では、この細胞は、真核生物細胞であり、以下の細胞から選択される：ＣＨＯ（例えば、ＣＨＯ  Ｋ１、ＤＸＢ−１１  ＣＨＯ、Ｖｅｇｇｉｅ−ＣＨＯ）、ＣＯＳ（例えば、ＣＯＳ−７）、網膜細胞、Ｖｅｒｏ、ＣＶ１、腎臓（例えば、ＨＥＫ２９３、２９３  ＥＢＮＡ、ＭＳＲ  ２９３、ＭＤＣＫ、ＨａＫ、ＢＨＫ）、ＨｅＬａ、ＨｅｐＧ２、ＷＩ３８、ＭＲＣ  ５、Ｃｏｌｏ２０５、ＨＢ  ８０６５、ＨＬ−６０、（例えば、ＢＨＫ２１）、Ｊｕｒｋａｔ、Ｄａｕｄｉ、Ａ４３１（上皮）、ＣＶ−１、Ｕ９３７、３Ｔ３、Ｌ細胞、Ｃ１２７細胞、ＳＰ２／０、ＮＳ−０、ＭＭＴ  ０６０５６２、セルトリ細胞、ＢＲＬ  ３Ａ細胞、ＨＴ１０８０細胞、骨髄腫細胞、腫瘍細胞、および上述の細胞から誘導された細胞株。一部の実施形態では、この細胞は、例えば、ウイルス遺伝子を発現する網膜細胞（例えば、ＰＥＲ．Ｃ６（商標）細胞）など、１または複数のウイルス遺伝子を含む。一部の実施形態では、宿主細胞は、単離された細胞であるまたは単離された細胞を含む。一部の実施形態では、宿主細胞は、組織の一部である。一部の実施形態では、宿主細胞は、生物の一部である。
【００４６】
用語「ヒト化」は、その構造（即ち、ヌクレオチド配列またはアミノ酸配列）が、非ヒト動物において天然に見出される特定の遺伝子またはタンパク質の構造と実質的にまたは同一に対応する部分を含み、関連の特定の非ヒト遺伝子またはタンパク質において見出されるものとは異なるが、その代わりに、対応するヒト遺伝子またはタンパク質において見出される匹敵する構造とより密接に対応する部分もまた含む、核酸またはタンパク質を指すために、その分野で理解される意味に従って、本明細書で使用される。一部の実施形態では、「ヒト化」遺伝子は、ヒトポリペプチド（例えば、ヒトタンパク質またはその部分−例えば、その特徴的な部分）のものなどのアミノ酸配列を実質的に有するポリペプチドをコードする遺伝子である。一例を挙げると、膜受容体の場合、「ヒト化」遺伝子は、ヒト細胞外部分のものなどのアミノ酸配列を有する細胞外部分および非ヒト（例えば、マウス）ポリペプチドのものなどの残りの配列を有するポリペプチドをコードし得る。一部の実施形態では、ヒト化遺伝子は、ヒト遺伝子のＤＮＡ配列の少なくとも一部分を含む。一部の実施形態では、ヒト化遺伝子は、ヒト遺伝子のＤＮＡ配列全体を含む。一部の実施形態では、ヒト化タンパク質は、ヒトタンパク質中に現れる部分を有する配列を含む。一部の実施形態では、ヒト化タンパク質は、ヒトタンパク質の配列全体を含み、ヒト遺伝子のホモログまたはオルソログに対応する非ヒト動物の内因性遺伝子座から発現される。
【００４７】
用語「同一性」とは、配列の比較と併せて本明細書で使用する場合、ヌクレオチド配列および／またはアミノ酸配列の同一性を測定するために使用され得る、当該分野で公知のいくつかの異なるアルゴリズムによって決定されるような同一性を指す。一部の実施形態では、本明細書に記載される同一性は、１０．０のオープンギャップペナルティ、０．１の伸長ギャップペナルティを使用するＣｌｕｓｔａｌＷ  ｖ．１．８３（スロー）アラインメントを使用し、Ｇｏｎｎｅｔ類似性マトリックス（ＭＡＣＶＥＣＴＯＲ（商標）１０．０．２、Ｍａｃ  Ｖｅｃｔｏｒ  Ｉｎｃ．、２００８年）を使用して、決定される。
【００４８】
用語「単離された」とは、本明細書で使用する場合、（１）最初に産生されたときに（天然にでもおよび／もしくは実験設定でも）それが関連した構成成分の少なくとも一部から分離されている、ならびに／または（２）人の手によって設計、産生、調製および／もしくは製造されている、物質ならびに／または実体を指す。単離された物質および／または実体は、それらが最初に関連した他の構成成分の約１０％、約２０％、約３０％、約４０％、約５０％、約６０％、約７０％、約８０％、約９０％、約９１％、約９２％、約９３％、約９４％、約９５％、約９６％、約９７％、約９８％、約９９％、または約９９％超から、分離され得る。一部の実施形態では、単離された作用因子は、約８０％、約８５％、約９０％、約９１％、約９２％、約９３％、約９４％、約９５％、約９６％、約９７％、約９８％、約９９％、または約９９％超、純粋である。本明細書で使用する場合、物質は、他の構成成分を実質的に含まない場合、「純粋」である。一部の実施形態では、当業者に理解されるように、物質は、例えば、１または複数の担体または賦形剤（例えば、緩衝液、溶媒、水など）などのある特定の他の構成成分と組み合わされた後に、「単離された」またはさらには「純粋」と、なおもみなされ得る；かかる実施形態では、物質のパーセント単離または純度は、かかる担体または賦形剤を含まずに、計算される。一例を挙げると、一部の実施形態では、天然に存在する生物学的ポリマー、例えば、ポリペプチドまたはポリヌクレオチドは、以下の場合に、「単離された」とみなされる。ａ）誘導のその起源または供給源のおかげで、天然におけるそのネイティブ状態でそれに付随する構成成分の一部または全てと関連しない場合；ｂ）それが、天然にそれを産生する種と同じ種の他のポリペプチドまたは核酸を実質的に含まない場合；ｃ）天然にそれを産生する種ではない細胞もしくは他の発現系によって発現される場合、またはかかる細胞もしくは他の発現系由来の構成成分と他の方法で関連する場合。従って、例えば、一部の実施形態では、化学的に合成される、または天然においてそれを産生する細胞系とは異なる細胞系において合成されるポリペプチドは、「単離された」ポリペプチドであるとみなされる。あるいは、またはさらに、一部の実施形態では、１または複数の精製技術に供されたポリペプチドは、ａ）それが天然に関連する他の構成成分；および／またはｂ）最初に産生されたときにそれが関連した他の構成成分から分離されている限りにおいて、「単離された」ポリペプチドとみなされ得る。
【００４９】
語句「非ヒト動物」とは、本明細書で使用する場合、ヒトではない任意の脊椎動物生物を指す。一部の実施形態では、非ヒト動物は、円口類（ａｃｙｃｌｏｓｔｏｍｅ）、硬骨魚類、軟骨魚類（例えば、サメまたはエイ）、両生類、爬虫類、哺乳動物および鳥類である。一部の実施形態では、非ヒト哺乳動物は、霊長類、ヤギ、ヒツジ、ブタ、イヌ、雌ウシまたはげっ歯類である。一部の実施形態では、非ヒト動物は、ラットまたはマウスなどのげっ歯類である。
【００５０】
語句「核酸」とは、本明細書で使用する場合、その最も広い意味において、オリゴヌクレオチド鎖中に取り込まれるまたはオリゴヌクレオチド鎖中に取り込まれ得る、任意の化合物および／または物質を指す。一部の実施形態では、核酸は、ホスホジエステル連結を介してオリゴヌクレオチド鎖中に取り込まれるまたはオリゴヌクレオチド鎖中に取り込まれ得る、化合物および／または物質である。文脈から明らかなように、一部の実施形態では、「核酸」とは、個々の核酸残基（例えば、ヌクレオチドおよび／またはヌクレオシド）を指す；一部の実施形態では、「核酸」とは、個々の核酸残基を含むオリゴヌクレオチド鎖を指す。一部の実施形態では、「核酸」は、ＲＮＡであるまたはＲＮＡを含む；一部の実施形態では、「核酸」は、ＤＮＡであるまたはＤＮＡを含む。一部の実施形態では、核酸は、１もしくは複数の天然の核酸残基である、かかる天然の核酸残基を含む、またはかかる天然の核酸残基からなる。一部の実施形態では、核酸は、１もしくは複数の核酸アナログである、かかる核酸アナログを含む、またはかかる核酸アナログからなる。一部の実施形態では、核酸アナログは、ホスホジエステル骨格を利用しないという点で、核酸とは異なる。例えば、一部の実施形態では、核酸は、当該分野で公知であり、骨格中にホスホジエステル結合の代わりにペプチド結合を有し、本発明の範囲内とみなされる、１もしくは複数の「ペプチド核酸」である、かかる「ペプチド核酸」を含む、またはかかる「ペプチド核酸」からなる。あるいは、またはさらに、一部の実施形態では、核酸は、ホスホジエステル結合ではなく、１または複数のホスホロチオエート連結および／または５’−Ｎ−ホスホラミダイト連結を有する。一部の実施形態では、核酸は、１もしくは複数の天然のヌクレオシド（例えば、アデノシン、チミジン、グアノシン、シチジン、ウリジン、デオキシアデノシン、デオキシチミジン、デオキシグアノシンおよびデオキシシチジン）である、かかる天然のヌクレオシドを含む、またはかかる天然のヌクレオシドからなる。一部の実施形態では、核酸は、１もしくは複数のヌクレオシドアナログ（例えば、２−アミノアデノシン、２−チオチミジン、イノシン、ピロロ−ピリミジン、３−メチルアデノシン、５−メチルシチジン、Ｃ−５プロピニル−シチジン、Ｃ−５プロピニル−ウリジン、２−アミノアデノシン、Ｃ５−ブロモウリジン、Ｃ５−フルオロウリジン、Ｃ５−ヨードウリジン、Ｃ５−プロピニル−ウリジン、Ｃ５−プロピニル−シチジン、Ｃ５−メチルシチジン、２−アミノアデノシン、７−デアザアデノシン、７−デアザグアノシン、８−オキソアデノシン、８−オキソグアノシン、Ｏ（６）−メチルグアニン、２−チオシチジン、メチル化塩基、介在塩基、およびそれらの組合せ）である、かかるヌクレオシドアナログを含む、またはかかるヌクレオシドアナログからなる。一部の実施形態では、核酸は、天然の核酸中のものと比較して、１または複数の改変糖（例えば、２’−フルオロリボース、リボース、２’−デオキシリボース、アラビノースおよびヘキソース）を含む。一部の実施形態では、核酸は、ＲＮＡまたはタンパク質などの機能的遺伝子産物をコードするヌクレオチド配列を有する。一部の実施形態では、核酸は、１または複数のイントロンを含む。一部の実施形態では、核酸は、天然の供給源からの単離、相補的鋳型に基づく重合による酵素的合成（ｉｎ  ｖｉｖｏまたはｉｎ  ｖｉｔｒｏ）、組換え細胞または系における複製、および化学的合成のうちの１または複数によって調製される。一部の実施形態では、核酸は、少なくとも３、４、５、６、７、８、９、１０、１５、２０、２５、３０、３５、４０、４５、５０、５５、６０、６５、７０、７５、８０、８５、９０、９５、１００、１１０、１２０、１３０、１４０、１５０、１６０、１７０、１８０、１９０、２０、２２５、２５０、２７５、３００、３２５、３５０、３７５、４００、４２５、４５０、４７５、５００、６００、７００、８００、９００、１０００、１５００、２０００、２５００、３０００、３５００、４０００、４５００、５０００またはそれ超の残基長である。一部の実施形態では、核酸は、一本鎖である；一部の実施形態では、核酸は、二本鎖である。一部の実施形態では、核酸は、ポリペプチドをコードする、またはポリペプチドをコードする配列の相補体である少なくとも１つのエレメントを含む、ヌクレオチド配列を有する。一部の実施形態では、核酸は、酵素活性を有する。
【００５１】
語句「作動可能に連結した」とは、本明細書で使用する場合、記載される構成成分が、それらの意図した様式でそれらが機能するのを可能にする関係性にある、並置を指す。コード配列に「作動可能に連結した」制御配列は、コード配列の発現が、制御配列と適合性の条件下で達成されるような方法で、ライゲーションされる。「作動可能に連結した」配列は、目的の遺伝子と連続した発現制御配列および目的の遺伝子を制御するためにトランスで作用するまたは離れて作用する発現制御配列の両方を含む。用語「発現制御配列」とは、本明細書で使用する場合、それらがライゲーションされたコード配列の発現およびプロセシングをもたらすために必要なポリヌクレオチド配列を指す。発現制御配列には、適切な転写開始、終結、プロモーターおよびエンハンサー配列；効率的なＲＮＡプロセシングシグナル、例えば、スプライシングシグナルおよびポリアデニル化シグナル；細胞質ｍＲＮＡを安定化する配列；翻訳効率を増強する配列（即ち、Ｋｏｚａｋコンセンサス配列）；タンパク質の安定性を増強する配列；ならびに所望の場合、タンパク質分泌を増強する配列が含まれる。かかる制御配列の性質は、宿主生物に依存して異なる。例えば、原核生物では、かかる制御配列には、一般に、プロモーター、リボソーム結合部位および転写終結配列が含まれ、一方真核生物では、典型的には、かかる制御配列には、プロモーターおよび転写終結配列が含まれる。用語「制御配列」は、その存在が発現およびプロセシングに必須である構成成分を含むことを意図し、その存在が有利であるさらなる構成成分、例えば、リーダー配列および融合パートナー配列もまた、含み得る。
【００５２】
用語「ポリペプチド」とは、本明細書で使用する場合、アミノ酸の任意のポリマー鎖を指す。一部の実施形態では、ポリペプチドは、天然に存在するアミノ酸配列を有する。一部の実施形態では、ポリペプチドは、天然には存在しないアミノ酸配列を有する。一部の実施形態では、ポリペプチドは、人の手の作用を介して設計および／または産生されるという点で、操作されたアミノ酸配列を有する。
【００５３】
用語「組換え」は、本明細書で使用する場合、組換え手段によって設計、操作、調製、発現、創出もしくは単離されたポリペプチド（例えば、本明細書に記載されるシグナル調節タンパク質）、例えば、宿主細胞中にトランスフェクトされた組換え発現ベクターを使用して発現させたポリペプチド、組換えコンビナトリアルヒトポリペプチドライブラリーから単離されたポリペプチド（Ｈｏｏｇｅｎｂｏｏｍ  Ｈ．  Ｒ．、（１９９７年）ＴＩＢ  Ｔｅｃｈ．  １５巻：６２〜７０頁；Ａｚｚａｚｙ  Ｈ．およびＨｉｇｈｓｍｉｔｈ  Ｗ．  Ｅ．、（２００２年）Ｃｌｉｎ．  Ｂｉｏｃｈｅｍ．  ３５巻：４２５〜４４５頁；Ｇａｖｉｌｏｎｄｏ  Ｊ．  Ｖ．およびＬａｒｒｉｃｋ  Ｊ．  Ｗ．（２００２年）ＢｉｏＴｅｃｈｎｉｑｕｅｓ  ２９巻：１２８〜１４５頁；Ｈｏｏｇｅｎｂｏｏｍ  Ｈ．およびＣｈａｍｅｓ  Ｐ．（２０００年）Ｉｍｍｕｎｏｌｏｇｙ  Ｔｏｄａｙ  ２１巻：３７１〜３７８頁）、ヒト免疫グロブリン遺伝子についてトランスジェニックである動物（例えば、マウス）から単離された抗体（例えば、Ｔａｙｌｏｒ，  Ｌ．  Ｄ．ら（１９９２年）Ｎｕｃｌ．  Ａｃｉｄｓ  Ｒｅｓ．  ２０巻：６２８７〜６２９５頁；Ｋｅｌｌｅｒｍａｎｎ  Ｓ−Ａ．およびＧｒｅｅｎ  Ｌ．  Ｌ．（２００２年）Ｃｕｒｒｅｎｔ  Ｏｐｉｎｉｏｎ  ｉｎ  Ｂｉｏｔｅｃｈｎｏｌｏｇｙ  １３巻：５９３〜５９７頁；Ｌｉｔｔｌｅ  Ｍ．ら（２０００年）Ｉｍｍｕｎｏｌｏｇｙ  Ｔｏｄａｙ  ２１巻：３６４〜３７０頁を参照のこと）、または選択された配列エレメントを互いに対してスプライシングすることが関与する任意の他の手段によって調製、発現、創出もしくは単離されたポリペプチドをいうことが意図される。一部の実施形態では、かかる選択された配列エレメントのうちの１または複数は、天然に見出される。一部の実施形態では、かかる選択された配列エレメントのうちの１または複数は、ｉｎ  ｓｉｌｉｃｏで設計される。一部の実施形態では、１または複数のかかる選択された配列エレメントは、公知の配列エレメントの変異誘発（例えば、ｉｎ  ｖｉｖｏまたはｉｎ  ｖｉｔｒｏ）から、例えば、天然のまたは合成の供給源から、生じる。例えば、一部の実施形態では、組換えポリペプチドは、目的の供給源生物（例えば、ヒト、マウスなど）のゲノムにおいて見出される配列から構成される。一部の実施形態では、組換えポリペプチドは、変異誘発（例えば、ｉｎ  ｖｉｔｒｏまたはｉｎ  ｖｉｖｏの、例えば、非ヒト動物における）から生じたアミノ酸配列を有し、その結果、組換えポリペプチドのアミノ酸配列は、ポリペプチド配列に由来しそのポリペプチド配列に関連するが、ｉｎ  ｖｉｖｏで非ヒト動物のゲノム内に天然に存在しない可能性がある、配列である。
【００５４】
用語「置き換え」は、宿主遺伝子座において（例えば、ゲノムにおいて）見出される「置き換えられた」核酸配列（例えば、遺伝子）が、その遺伝子座から除去され、異なる「置き換え」核酸がその場所に位置付けられるプロセスを指すために、本明細書で使用される。一部の実施形態では、これらの置き換えられた核酸配列および置き換え核酸配列は、例えば、互いに相同であり、および／または対応するエレメント（例えば、タンパク質コードエレメント、調節エレメントなど）を含有するという点で、互いに匹敵する。一部の実施形態では、置き換えられた核酸配列は、プロモーター、エンハンサー、スプライスドナー部位、スプライスレシーバー部位、イントロン、エクソン、非翻訳領域（ＵＴＲ）のうちの１または複数を含む；一部の実施形態では、置き換え核酸配列は、１または複数のコード配列を含む。一部の実施形態では、置き換え核酸配列は、置き換えられた核酸配列のホモログである。一部の実施形態では、置き換え核酸配列は、置き換えられた配列のオルソログである。一部の実施形態では、置き換え核酸配列は、ヒト核酸配列であるまたはヒト核酸配列を含む。置き換え核酸配列がヒト核酸配列であるまたはヒト核酸配列を含む場合を含む一部の実施形態では、この置き換えられた核酸配列は、げっ歯類配列（例えば、マウス配列）であるまたはげっ歯類配列（例えば、マウス配列）を含む。そうして配置された核酸配列は、そうして配置された配列（例えば、プロモーター、エンハンサー、５’非翻訳領域または３’非翻訳領域など）を取得するために使用される供給源核酸配列の一部である１または複数の調節配列を含み得る。例えば、種々の実施形態では、この置き換えは、そうして配置された核酸配列（異種配列を含む）からの遺伝子産物の産生を生じるが内因性配列の発現は生じない異種配列による内因性配列の置換である；この置き換えは、内因性配列によってコードされるタンパク質と類似の機能を有するタンパク質をコードする核酸配列による内因性ゲノム配列の置き換えである（例えば、この内因性ゲノム配列は、ＳＩＲＰαタンパク質をコードし、ＤＮＡ断片は、１または複数のヒトＳＩＲＰαタンパク質をコードする）。種々の実施形態では、内因性遺伝子またはその断片は、対応するヒト遺伝子またはその断片によって置き換えられる。対応するヒト遺伝子もしくはその断片は、置き換えられる内因性遺伝子もしくはその断片のオルソログであるヒト遺伝子もしくは断片であるか、または置き換えられる内因性遺伝子もしくはその断片と、構造および／もしくは機能において実質的に類似もしくは同じである。
【００５５】
語句「シグナル調節タンパク質」または「ＳＩＲＰ」とは、本明細書で使用する場合、シグナル調節タンパク質受容体、例えば、ＳＩＲＰα受容体を指す。ＳＩＲＰ遺伝子は、細胞の表面上で発現される原形質膜受容体を含み、白血球上の膜表面タンパク質間の相互作用に関与する調節タンパク質として機能する。ＳＩＲＰ遺伝子内で、多型バリアントが、ヒト被験体において記載されている。例示として、ヒトおよびマウスのＳＩＲＰ遺伝子のヌクレオチド配列およびアミノ酸配列が、表１に提供される。本開示を読めば、当業者は、ゲノム中の１または複数の内因性ＳＩＲＰ受容体遺伝子（または全て）が、１または複数の異種ＳＩＲＰ遺伝子（例えば、多型バリアント、サブタイプもしくは変異体、別の種由来の遺伝子、ヒト化形態など）によって置き換えられ得ることを認識する。
【００５６】
「ＳＩＲＰ発現細胞」とは、本明細書で使用する場合、シグナル調節タンパク質受容体を発現する細胞を指す。一部の実施形態では、ＳＩＲＰ発現細胞は、その表面上にシグナル調節タンパク質受容体を発現する。一部の実施形態では、細胞の表面上で発現されるＳＩＲＰタンパク質は、細胞の表面上で発現されるＳＩＲＰタンパク質を介した細胞−細胞相互作用を媒介するのに十分な量である。例示的なＳＩＲＰ発現細胞には、ニューロン、リンパ球、骨髄性細胞、マクロファージ、好中球およびナチュラルキラー（ＮＫ）細胞が含まれる。ＳＩＲＰ発現細胞は、種々の外来抗原または病原体に対する免疫応答を調節するために、免疫細胞の相互作用を調節する。一部の実施形態では、本発明の非ヒト動物は、非ヒト動物の１または複数の細胞の表面上で発現されたヒト化ＳＩＲＰ受容体を介した免疫細胞調節を実証する。
【００５７】
用語「実質的に」とは、本明細書で使用する場合、目的の特徴または特性の合計またはほぼ合計の度合いまたは程度を示す、質的状態を指す。生物学の分野における当業者は、生物学的現象および化学的現象が、仮にあるとしても、完成に向かうことおよび／もしくは完全性まで進行するまたは絶対的結果を達成もしくは回避することは稀であることを理解する。用語「実質的に」は、従って、多くの生物学的現象および化学的現象において固有の完全性の潜在的欠如を捕捉するために、本明細書で使用される。
【００５８】
語句「実質的な相同性」とは、本明細書で使用する場合、アミノ酸配列間または核酸配列間の比較を指す。当業者に理解されるように、２つの配列は、対応する位置においてそれらが相同な残基を含有する場合、一般に、「実質的に相同」であるとみなされる。相同な残基は、同一な残基であり得る。あるいは、相同な残基は、適切に類似した構造的および／または機能的特徴を有する、同一ではない残基であり得る。例えば、当業者に周知のように、ある特定のアミノ酸は、典型的には、「疎水性」もしくは「親水性」アミノ酸として、および／または「極性」もしくは「非極性」側鎖を有するとして、分類される。１つのアミノ酸による同じ型の別のアミノ酸の置換は、しばしば「相同な」置換とみなされ得る。典型的なアミノ酸のカテゴリー化を、表１および２にまとめる。
【００５９】
【表１】
2019047818.tif 000002
【００６０】
【表２】
2019047818.tif 000003
【００６１】
当該分野で周知のように、アミノ酸配列または核酸配列は、ヌクレオチド配列についてのＢＬＡＳＴＮならびにアミノ酸配列についてのＢＬＡＳＴＰ、ｇａｐｐｅｄ  ＢＬＡＳＴおよびＰＳＩ−ＢＬＡＳＴなどの市販のコンピュータープログラムにおいて利用可能なものを含む、種々のアルゴリズムのいずれかを使用して比較され得る。例示的なかかるプログラムは、Ａｌｔｓｃｈｕｌら、Ｂａｓｉｃ  ｌｏｃａｌ  ａｌｉｇｎｍｅｎｔ  ｓｅａｒｃｈ  ｔｏｏｌ、Ｊ．  Ｍｏｌ．  Ｂｉｏｌ．、２１５巻（３号）：４０３〜４１０頁、１９９０年；Ａｌｔｓｃｈｕｌら、Ｍｅｔｈｏｄｓ  ｉｎ  Ｅｎｚｙｍｏｌｏｇｙ；Ａｌｔｓｃｈｕｌら、「Ｇａｐｐｅｄ  ＢＬＡＳＴ  ａｎｄ  ＰＳＩ−ＢＬＡＳＴ：  ａ  ｎｅｗ  ｇｅｎｅｒａｔｉｏｎ  ｏｆ  ｐｒｏｔｅｉｎ  ｄａｔａｂａｓｅ  ｓｅａｒｃｈ  ｐｒｏｇｒａｍｓ」、Ｎｕｃｌｅｉｃ  Ａｃｉｄｓ  Ｒｅｓ．  ２５巻：３３８９〜３４０２頁、１９９７年；Ｂａｘｅｖａｎｉｓら、Ｂｉｏｉｎｆｏｒｍａｔｉｃｓ  ：  Ａ  Ｐｒａｃｔｉｃａｌ  Ｇｕｉｄｅ  ｔｏ  ｔｈｅ  Ａｎａｌｙｓｉｓ  ｏｆ  Ｇｅｎｅｓ  ａｎｄ  Ｐｒｏｔｅｉｎｓ、Ｗｉｌｅｙ、１９９８年；およびＭｉｓｅｎｅｒら（編）、Ｂｉｏｉｎｆｏｒｍａｔｉｃｓ  Ｍｅｔｈｏｄｓ  ａｎｄ  Ｐｒｏｔｏｃｏｌｓ  （Ｍｅｔｈｏｄｓ  ｉｎ  Ｍｏｌｅｃｕｌａｒ  Ｂｉｏｌｏｇｙ、第１３２巻）、Ｈｕｍａｎａ  Ｐｒｅｓｓ、１９９９年に記載されている。相同な配列を同定することに加えて、上述のプログラムは、典型的には、相同性の程度の指標を提供する。一部の実施形態では、２つの配列は、それらの対応する残基のうち少なくとも５０％、５５％、６０％、６５％、７０％、７５％、８０％、８５％、９０％、９１％、９２％、９３％、９４％、９５％、９６％、９７％、９８％、９９％またはそれ超が、残基の関連するストレッチにわたって相同である場合、実質的に相同であるとみなされる。一部の実施形態では、この関連するストレッチは、完全配列である。一部の実施形態では、この関連するストレッチは、少なくとも９、１０、１１、１２、１３、１４、１５、１６、１７またはそれ超の残基である。一部の実施形態では、この関連するストレッチは、完全配列に沿って連続した残基を含む。一部の実施形態では、この関連するストレッチは、完全配列に沿って非連続の残基を含む。一部の実施形態では、この関連するストレッチは、少なくとも１０、１５、２０、２５、３０、３５、４０、４５、５０またはそれ超の残基である。
【００６２】
語句「実質的な同一性」とは、本明細書で使用する場合、アミノ酸配列間または核酸配列間の比較を指す。当業者に理解されるように、２つの配列は、対応する位置においてそれらが同一な残基を含有する場合、一般に、「実質的に同一」であるとみなされる。当該分野で周知のように、アミノ酸配列または核酸配列は、ヌクレオチド配列についてのＢＬＡＳＴＮならびにアミノ酸配列についてのＢＬＡＳＴＰ、ｇａｐｐｅｄ  ＢＬＡＳＴおよびＰＳＩ−ＢＬＡＳＴなどの市販のコンピュータープログラムにおいて利用可能なものを含む、種々のアルゴリズムのいずれかを使用して比較され得る。例示的なかかるプログラムは、Ａｌｔｓｃｈｕｌら、Ｂａｓｉｃ  ｌｏｃａｌ  ａｌｉｇｎｍｅｎｔ  ｓｅａｒｃｈ  ｔｏｏｌ、Ｊ．  Ｍｏｌ．  Ｂｉｏｌ．、２１５巻（３号）：４０３〜４１０頁、１９９０年；Ａｌｔｓｃｈｕｌら、Ｍｅｔｈｏｄｓ  ｉｎ  Ｅｎｚｙｍｏｌｏｇｙ；Ａｌｔｓｃｈｕｌら、Ｎｕｃｌｅｉｃ  Ａｃｉｄｓ  Ｒｅｓ．２５巻：３３８９〜３４０２頁、１９９７年；Ｂａｘｅｖａｎｉｓら、Ｂｉｏｉｎｆｏｒｍａｔｉｃｓ  ：  Ａ  Ｐｒａｃｔｉｃａｌ  Ｇｕｉｄｅ  ｔｏ  ｔｈｅ  Ａｎａｌｙｓｉｓ  ｏｆ  Ｇｅｎｅｓ  ａｎｄ  Ｐｒｏｔｅｉｎｓ、Ｗｉｌｅｙ、１９９８年；およびＭｉｓｅｎｅｒら（編）、Ｂｉｏｉｎｆｏｒｍａｔｉｃｓ  Ｍｅｔｈｏｄｓ  ａｎｄ  Ｐｒｏｔｏｃｏｌｓ  （Ｍｅｔｈｏｄｓ  ｉｎ  Ｍｏｌｅｃｕｌａｒ  Ｂｉｏｌｏｇｙ、第１３２巻）、Ｈｕｍａｎａ  Ｐｒｅｓｓ、１９９９年に記載されている。同一な配列を同定することに加えて、上述のプログラムは、典型的には、同一性の程度の指標を提供する。一部の実施形態では、２つの配列は、それらの対応する残基のうち少なくとも５０％、５５％、６０％、６５％、７０％、７５％、８０％、８５％、９０％、９１％、９２％、９３％、９４％、９５％、９６％、９７％、９８％、９９％またはそれ超が、残基の関連するストレッチにわたって同一である場合、実質的に同一であるとみなされる。一部の実施形態では、この関連するストレッチは、完全配列である。一部の実施形態では、この関連するストレッチは、少なくとも１０、１５、２０、２５、３０、３５、４０、４５、５０またはそれ超の残基である。
【００６３】
語句「標的化ベクター」または「標的化構築物」とは、本明細書で使用する場合、標的化領域を含むポリヌクレオチド分子を指す。標的化領域は、標的細胞、組織または動物中の配列と同一または実質的に同一である配列を含み、相同組換えを介して、この細胞、組織または動物のゲノム内の位置への標的化構築物の組込みを提供する。部位特異的リコンビナーゼ認識部位（例えば、ｌｏｘＰ部位またはＦｒｔ部位）を使用して標的化する標的化領域もまた含まれる。一部の実施形態では、本発明の標的化構築物は、特に目的の核酸配列または遺伝子、選択可能なマーカー、制御および／または調節配列、ならびにかかる配列が関与する組換えを補助するまたは組換えを促進するタンパク質の外因性の添加を介して媒介される組換えを可能にする他の核酸配列をさらに含む。一部の実施形態では、本発明の標的化構築物はさらに、目的の遺伝子を全体的にまたは部分的に含み、この目的の遺伝子は、内因性配列によってコードされるタンパク質と類似の機能を有するタンパク質を全体的にまたは部分的にコードする異種遺伝子である。
【００６４】
用語「バリアント」とは、本明細書で使用する場合、参照実体との顕著な構造的同一性を示すが、参照実体と比較して、１または複数の化学的部分の存在またはレベルにおいて、参照実体とは構造的に異なる実体を指す。多くの実施形態では、バリアントはまた、その参照実体とは機能的に異なる。一般に、特定の実体が参照実体の「バリアント」であると適切にみなされるか否かは、参照実体との構造的同一性の程度に基づく。当業者に理解されるように、任意の生物学的参照実体または化学的参照実体は、ある特定の特徴的構造エレメントを有する。バリアントは、定義により、１または複数のかかる特徴的構造エレメントを共有する別個の化学的実体である。数例挙げると、小分子は、特徴的コア構造エレメント（例えば、大環状コア）および／または１もしくは複数の特徴的ペンダント部分を有し得、その結果、この小分子のバリアントは、コア構造エレメントおよび特徴的ペンダント部分を共有するが、他のペンダント部分および／またはコア内に存在する結合の型（単結合対二重結合、Ｅ対Ｚなど）において異なるものであり、ポリペプチドは、線形空間もしくは三次元空間において互いに対して指定された位置を有するおよび／または特定の生物学的機能に寄与する複数のアミノ酸から構成される特徴的配列エレメントを有し得、核酸は、線形空間もしくは三次元空間において互いに対して指定された位置を有する複数のヌクレオチド残基から構成される特徴的配列エレメントを有し得る。例えば、バリアントポリペプチドは、アミノ酸配列における１もしくは複数の差異および／またはポリペプチド骨格に共有結合した化学的部分（例えば、炭水化物、脂質など）における１もしくは複数の差異の結果として、参照ポリペプチドとは異なり得る。一部の実施形態では、バリアントポリペプチドは、参照ポリペプチドと、少なくとも８５％、８６％、８７％、８８％、８９％、９０％、９１％、９２％、９３％、９４％、９５％、９６％、９７％または９９％である全体的な配列同一性を示す。あるいは、またはさらに、一部の実施形態では、バリアントポリペプチドは、参照ポリペプチドと、少なくとも１つの特徴的配列エレメントを共有しない。一部の実施形態では、この参照ポリペプチドは、１または複数の生物学的活性を有する。一部の実施形態では、バリアントポリペプチドは、参照ポリペプチドの生物学的活性のうち１または複数を共有する。一部の実施形態では、バリアントポリペプチドは、参照ポリペプチドの生物学的活性のうち１または複数を欠く。一部の実施形態では、バリアントポリペプチドは、参照ポリペプチドと比較して、低減されたレベルの１または複数の生物学的活性を示す。多くの実施形態では、目的のポリペプチドは、この目的のポリペプチドが、特定の位置における少数の配列変更を別にして、親のアミノ酸配列と同一なアミノ酸配列を有する場合、親または参照ポリペプチドの「バリアント」であるとみなされる。典型的には、バリアント中の残基の２０％未満、１５％未満、１０％未満、９％未満、８％未満、７％未満、６％未満、５％未満、４％未満、３％未満、２％未満が、親と比較して置換される。一部の実施形態では、バリアントは、親と比較して、１０、９、８、７、６、５、４、３、２または１の置換された残基を有する。しばしば、バリアントは、非常に少数の（例えば、５未満、４未満、３未満、２未満または１未満の）置換された機能的残基（即ち、特定の生物学的活性に関与する残基）を有する。さらに、バリアントは、典型的に、親と比較して、５以下、４以下、３以下、２以下または１以下の付加または欠失を有し、しばしば、付加も欠失も有さない。さらに、任意の付加または欠失は、典型的には、約２５未満、約２０未満、約１９未満、約１８未満、約１７未満、約１６未満、約１５未満、約１４未満、約１３未満、約１０未満、約９未満、約８未満、約７未満、約６未満の残基であり、一般には、約５未満、約４未満、約３未満または約２未満の残基である。一部の実施形態では、この親または参照ポリペプチドは、天然に見出されるものである。当業者に理解されるように、目的の特定のポリペプチドの複数のバリアントは、特に、目的のポリペプチドが感染性作用因子ポリペプチドである場合、一般に天然に見出され得る。
【００６５】
用語「ベクター」とは、本明細書で使用する場合、それが関連する別の核酸を輸送することが可能な核酸分子を指す。一部の実施形態では、ベクターは、真核生物細胞および／または原核生物細胞などの宿主細胞における、それらが連結される核酸の染色体外複製および／または発現が可能である。作動可能に連結した遺伝子の発現を指向させることが可能なベクターは、本明細書で「発現ベクター」と呼ばれる。
【００６６】
用語「野生型」は、本明細書で使用する場合、「正常」（変異体、罹患したもの、変更されたものなどとは対照的に）状態または文脈において天然に見出されるような構造および／または活性を有する実体を指す、当該分野で理解される意味を有する。当業者は、野生型の遺伝子およびポリペプチドが、複数の異なる形態（例えば、対立遺伝子）で存在する場合が多いことを理解する。
【００６７】
詳細な説明
本発明は、とりわけ、移植片生着、食作用の活性化およびシグナル伝達におけるアッセイのための、シグナル調節タンパク質（例えば、ＳＩＲＰ）をコードするヒト化遺伝物質を有する改善および／または操作された非ヒト動物を提供する。かかる非ヒト動物は、ヒト細胞の移植片生着における改善を提供することを企図する。従って、本発明は、非ヒト動物においてヒト造血細胞を維持するために、特に有用である。特に、本発明は、非ヒト動物の細胞の原形質膜表面上のヒト化タンパク質の発現を生じるげっ歯類ＳＩＲＰα遺伝子のヒト化を包含する。かかるヒト化タンパク質は、ヒト化ＳＩＲＰαタンパク質と、生着したヒト細胞の表面上に存在するリガンドとの係合を介して、生着したヒト細胞を認識する能力を有する。一部の実施形態では、本発明の非ヒト動物は、移植されたヒト造血細胞を受容することが可能である；一部の実施形態では、かかる非ヒト哺乳動物は、ヒト細胞を含む免疫系を発達させるおよび／または有する。一部の実施形態では、ヒト化ＳＩＲＰαタンパク質は、ヒトＳＩＲＰαタンパク質のアミノ酸残基２８〜３６２に対応する配列を有する。一部の実施形態では、本発明の非ヒト動物は、この非ヒト動物および異種の種（例えば、ヒト）由来の遺伝物質を含有する内因性ＳＩＲＰα遺伝子を含む。一部の実施形態では、本発明の非ヒト動物は、ヒト化ＳＩＲＰα遺伝子を含み、このヒト化ＳＩＲＰα遺伝子は、ヒトＳＩＲＰα遺伝子のエクソン２、３および４を含む。
【００６８】
本発明の種々の態様が、以下のセクションにおいて詳細に記載される。セクションの使用は、本発明を限定することを意味しない。各セクションは、本発明の任意の態様に適用され得る。本出願では、「または」の使用は、特記しない限り、「および／または」を意味する。
【００６９】
シグナル調節タンパク質（ＳＩＲＰ）遺伝子ファミリー
シグナル調節タンパク質（ＳＩＲＰ）は、リンパ球、骨髄性細胞（マクロファージ、好中球、顆粒球、骨髄樹状細胞およびマスト細胞を含む）およびニューロン上で発現される細胞表面糖タンパク質のファミリーを構成する（例えば、ＢａｒｃｌａｙおよびＢｒｏｗｎ、２００６年、Ｎａｔ  Ｒｅｖ  Ｉｍｍｕｎｏｌ  ６巻、４５７〜４６４頁を参照のこと）。いくつかの報告されたＳＩＲＰ遺伝子が存在し、これらは、それらのそれぞれのリガンドおよびそれらが関与するシグナル伝達の型によって、カテゴリー化され得る。ＳＩＲＰα（ＣＤ１７２Ａ、ＳＨＰＳ１、Ｐ８４、ＭＹＤ−１、ＢＩＴおよびＰＴＰＮＳ１とも呼ばれる）は、骨髄系譜の免疫細胞上で発現され、免疫受容体チロシンベースの阻害モチーフ（ＩＴＩＭ）を介して、阻害性受容体として機能する。ＳＩＲＰα発現は、ニューロン上でも観察されている。ＳＩＲＰαに対する報告されたリガンドには、最も顕著にはＣＤ４７が含まれるが、サーファクタントタンパク質ＡおよびＤもまた含まれる。ＳＩＲＰβ（ＣＤ１７２ｂとも呼ばれる）は、マクロファージおよび好中球上で発現されるが、公知のリガンドは報告されていない。ＳＩＲＰβは、ＳＩＲＰαと比較して短い細胞質領域を含有し、ＤＮＡＸ活性化タンパク質１２（ＤＡＰ１２）として公知のシグナル伝達構成成分と会合することが公知である。従って、ＳＩＲＰβは、活性化受容体であると考えられる。ＳＩＲＰγ（ＣＤ１７２ｇおよびＳＩＲＰβ２とも呼ばれる）は、リンパ球およびナチュラルキラー細胞上で発現され、これもまたＣＤ４７に結合するが、細胞質テールは、４つのアミノ酸のみを含有し、ＤＡＰ１２との会合を促進する配列を欠くので、シグナル伝達機能は報告されていない。別のメンバーＳＩＲＰδが記載されており、可溶性受容体として存在する。
【００７０】
ＳＩＲＰαの役割は、特に、マクロファージによる宿主細胞の食作用におけるその阻害性の役割に関して、調査されてきた。例えば、マクロファージ上のＳＩＲＰαへのＣＤ４７の結合は、食作用を負に調節する阻害性シグナルを誘発する。あるいは、ＳＩＲＰα結合を介して媒介される陽性シグナル伝達効果が、報告されている（Ｓｈｕｌｔｚら、１９９５年、Ｊ  Ｉｍｍｕｎｏｌ  １５４巻、１８０〜９１頁）。
【００７１】
ＳＩＲＰα配列
ヒトおよびマウスについての例示的なＳＩＲＰα配列が、表３中に示される。ｃＤＮＡ配列について、連続的エクソンは、交互になった下線付き文字によって分離される。タンパク質配列について、シグナルペプチドには下線が付され、膜貫通配列および細胞質配列はイタリックである。
【００７２】
【表３−１】
2019047818.tif 000004
【００７３】
【表３−２】
2019047818.tif 000005
【００７４】
【表３−３】
2019047818.tif 000006
【００７５】
【表３−４】
2019047818.tif 000007
【００７６】
【表３−５】
2019047818.tif 000008
【００７７】
ヒト化ＳＩＲＰα非ヒト動物
ＳＩＲＰαタンパク質をコードする非ヒト動物の内因性遺伝子座の遺伝子改変から生じた、非ヒト動物の免疫細胞（例えば、骨髄性細胞）の表面上にヒト化ＳＩＲＰαタンパク質を発現する非ヒト動物が提供される。本明細書に記載される適切な例には、げっ歯類、特に、マウスが含まれる。
【００７８】
ヒト化ＳＩＲＰα遺伝子は、一部の実施形態では、異種の種（例えば、ヒト）由来の遺伝物質を含み、このヒト化ＳＩＲＰα遺伝子は、この異種の種由来の遺伝物質のコードされた部分を含むＳＩＲＰαタンパク質をコードする。一部の実施形態では、本発明のヒト化ＳＩＲＰα遺伝子は、細胞の原形質膜上で発現されるＳＩＲＰαタンパク質の細胞外部分に対応する、異種の種のゲノムＤＮＡを含む。前記ヒト化ＳＩＲＰα遺伝子を含有する非ヒト動物、非ヒト胚および細胞を作製するための非ヒト動物、胚、細胞および標的化構築物もまた、提供される。
【００７９】
一部の実施形態では、内因性ＳＩＲＰα遺伝子は欠失される。一部の実施形態では、内因性ＳＩＲＰα遺伝子は変更され、ここで、この内因性ＳＩＲＰα遺伝子の一部分は、異種配列（例えば、全体的にまたは部分的にヒトＳＩＲＰα配列）で置き換えられる。一部の実施形態では、全てまたは実質的に全ての内因性ＳＩＲＰα遺伝子は、異種遺伝子（例えば、ヒトＳＩＲＰα遺伝子）で置き換えられる。一部の実施形態では、異種ＳＩＲＰα遺伝子の一部分は、内因性ＳＩＲＰα遺伝子座において、内因性非ヒトＳＩＲＰα遺伝子中に挿入される。一部の実施形態では、この異種遺伝子はヒト遺伝子である。一部の実施形態では、改変またはヒト化は、２コピーの内因性ＳＩＲＰα遺伝子のうちの１つに対して行われ、ヒト化ＳＩＲＰα遺伝子に関してヘテロ接合性である非ヒト動物を生じる。他の実施形態では、ヒト化ＳＩＲＰα遺伝子についてホモ接合性である非ヒト動物が提供される。
【００８０】
本発明の非ヒト動物は、内因性非ヒトＳＩＲＰα遺伝子座において、全体的にまたは部分的にヒトＳＩＲＰα遺伝子を含有する。従って、かかる非ヒト動物は、異種ＳＩＲＰ遺伝子を有すると記載され得る。内因性ＳＩＲＰα遺伝子座において置き換えられた、挿入されたまたは改変されたＳＩＲＰα遺伝子は、例えば、ＰＣＲ、ウエスタンブロット、サザンブロット、制限断片長多型（ＲＦＬＰ）、または対立遺伝子の獲得もしくは喪失のアッセイを含む、種々の方法を使用して検出され得る。一部の実施形態では、この非ヒト動物は、ヒト化ＳＩＲＰα遺伝子に関してヘテロ接合性である。
【００８１】
種々の実施形態では、本発明に従うヒト化ＳＩＲＰα遺伝子は、表３のヒトＳＩＲＰα遺伝子中に現れる第２、第３および第４のエクソンと少なくとも５０％（例えば、５０％、５５％、６０％、６５％、７０％、７５％、８０％、８５％、９０％、９１％、９２％、９３％、９４％、９５％、９６％、９７％、９８％、９９％またはそれ超）同一な配列を各々が有する第２、第３および第４のエクソンを有するＳＩＲＰα遺伝子を含む。
【００８２】
種々の実施形態では、本発明に従うヒト化ＳＩＲＰα遺伝子は、表３のヒトＳＩＲＰα  ｃＤＮＡ配列中に現れるヌクレオチド３５２〜１１１４と少なくとも５０％（例えば、５０％、５５％、６０％、６５％、７０％、７５％、８０％、８５％、９０％、９１％、９２％、９３％、９４％、９５％、９６％、９７％、９８％、９９％またはそれ超）同一なヌクレオチドコード配列（例えば、ｃＤＮＡ配列）を有するＳＩＲＰα遺伝子を含む。
【００８３】
種々の実施形態では、本発明の非ヒト動物によって産生されるヒト化ＳＩＲＰαタンパク質は、表３中に現れるヒトＳＩＲＰαタンパク質の細胞外部分と少なくとも５０％（例えば、５０％、５５％、６０％、６５％、７０％、７５％、８０％、８５％、９０％、９１％、９２％、９３％、９４％、９５％、９６％、９７％、９８％、９９％またはそれ超）同一である配列を有する細胞外部分を有する。
【００８４】
種々の実施形態では、本発明の非ヒト動物によって産生されるヒト化ＳＩＲＰαタンパク質は、表３のヒトＳＩＲＰαタンパク質中に現れるアミノ酸残基２８〜３６２と少なくとも５０％（例えば、５０％、５５％、６０％、６５％、７０％、７５％、８０％、８５％、９０％、９１％、９２％、９３％、９４％、９５％、９６％、９７％、９８％、９９％またはそれ超）同一である配列を有する細胞外部分を有する。
【００８５】
種々の実施形態では、本発明の非ヒト動物によって産生されるヒト化ＳＩＲＰαタンパク質は、表３中に現れるヒト化ＳＩＲＰαタンパク質のアミノ酸配列と少なくとも５０％（例えば、５０％、５５％、６０％、６５％、７０％、７５％、８０％、８５％、９０％、９１％、９２％、９３％、９４％、９５％、９６％、９７％、９８％、９９％またはそれ超）同一であるアミノ酸配列を有する。
【００８６】
特定の多型形態または対立遺伝子バリアント（例えば、単一アミノ酸の差異）を含むヒト化ＳＩＲＰαタンパク質を発現する非ヒト動物を作製するための組成物および方法が提供され、これはヒトプロモーターおよびヒト調節配列からかかるタンパク質を発現する非ヒト動物を作製するための組成物および方法を含む。一部の実施形態では、内因性プロモーターおよび内因性調節配列からかかるタンパク質を発現する非ヒト動物を作製するための組成物および方法もまた、提供される。これらの方法は、内因性ＳＩＲＰα遺伝子に対応する非ヒト動物のゲノム中の正確な位置においてヒトＳＩＲＰαタンパク質を全体的にまたは部分的にコードする遺伝物質を挿入し、それによって、全体的にまたは部分的にヒトであるＳＩＲＰαタンパク質を発現するヒト化ＳＩＲＰα遺伝子を創出するステップを含む。一部の実施形態では、これらの方法は、非ヒト動物の内因性ＳＩＲＰα遺伝子中に、ヒトＳＩＲＰα遺伝子のエクソン２〜４に対応するゲノムＤＮＡを挿入し、それによって、挿入されたエクソンによってコードされるアミノ酸を含有するヒト部分を含有するＳＩＲＰαタンパク質をコードするヒト化遺伝子を創出するステップを含む。
【００８７】
ヒト化ＳＩＲＰα遺伝子アプローチは、内因性遺伝子の比較的最低限の改変を使用し、非ヒト動物において、天然ＳＩＲＰα媒介性のシグナル伝達を生じ、種々の実施形態では、ＳＩＲＰα配列のゲノム配列は、単一の断片において改変されているので、従って、必要な調節配列を含むことによって正常な機能性を保持する。従って、かかる実施形態では、このＳＩＲＰα遺伝子改変は、他の周辺遺伝子にも他の内因性ＳＩＲＰ遺伝子にも影響を与えない。さらに、種々の実施形態では、この改変は、プラスマ上の機能的受容体のアセンブリに影響を与えず、結合と、改変によって影響を受けていない受容体の細胞質部分を介した引き続くシグナル伝達とを介した、正常なエフェクター機能を維持する。
【００８８】
内因性マウスＳＩＲＰα遺伝子およびヒト化ＳＩＲＰα遺伝子の略図（一定の拡大比ではない）が、図１に提供される。示されるように、ヒトＳＩＲＰα遺伝子のエクソン２〜４を含有するゲノムＤＮＡが、標的化構築物によって、内因性マウスＳＩＲＰα遺伝子座中に挿入される。このゲノムＤＮＡは、リガンド結合を担うヒトＳＩＲＰαタンパク質の細胞外部分（例えば、アミノ酸残基２８〜３６２）をコードする遺伝子の部分を含む。
【００８９】
内因性ＳＩＲＰα遺伝子座においてヒト化ＳＩＲＰα遺伝子を有する非ヒト動物（例えば、マウス）は、当該分野で公知の任意の方法によって作製され得る。例えば、選択可能なマーカー遺伝子と共に、ヒトＳＩＲＰα遺伝子を全体的にまたは部分的に導入する標的化ベクターが、作製され得る。図１は、ヒトＳＩＲＰαのエクソン２〜４の挿入を含むマウスゲノムを示す。示されるように、この標的化構築物は、内因性マウスＳＩＲＰα遺伝子のエクソン２の上流の配列を含有する５’相同性アーム、その後の、ヒトＳＩＲＰα遺伝子のエクソン２〜４を含有するゲノムＤＮＡ断片、薬物選択カセット（例えば、ｌｏｘＰ配列が両側に隣接するネオマイシン耐性遺伝子）、および内因性マウスＳＩＲＰα遺伝子のエクソン４の下流の配列を含有する３’相同性アームを含有する。相同組換えの際に、内因性マウスＳＩＲＰα遺伝子のエクソン２〜４は、標的化ベクター中に含有される配列によって置き換えられる。ヒトＳＩＲＰα遺伝子のエクソン２〜４によってコードされるアミノ酸を含有するヒト化ＳＩＲＰαタンパク質を発現する細胞または非ヒト動物を生じるヒト化ＳＩＲＰα遺伝子が、創出される。この薬物選択カセットは、リコンビナーゼの引き続く添加によって（例えば、Ｃｒｅ処理によって）、任意選択で除去され得る。
【００９０】
本明細書に記載されるヒト化ＳＩＲＰα遺伝子を有するマウスに加えて、ヒト化ＳＩＲＰα遺伝子を含む他の遺伝子改変された非ヒト動物もまた、本明細書で提供される。一部の実施形態では、かかる非ヒト動物は、内因性ＳＩＲＰαプロモーターに作動可能に連結したヒト化ＳＩＲＰα遺伝子を含む。一部の実施形態では、かかる非ヒト動物は、内因性遺伝子座からヒト化ＳＩＲＰαタンパク質を発現し、このヒト化ＳＩＲＰαタンパク質は、ヒトＳＩＲＰαタンパク質のアミノ酸残基２８〜３６２を含む。
【００９１】
かかる非ヒト動物は、マウス、ラット、ウサギ、ブタ、ウシ（例えば、雌ウシ、雄ウシ、バッファロー）、シカ、ヒツジ、ヤギ、ニワトリ、ネコ、イヌ、フェレット、霊長類（例えば、マーモセット、アカゲザル）からなる群より選択され得る。適切な遺伝子改変可能なＥＳ細胞が容易に入手可能でない非ヒト動物について、他の方法が、本明細書に記載される遺伝子改変を含む非ヒト動物を作製するために使用される。かかる方法は、例えば、非ＥＳ細胞ゲノム（例えば、線維芽細胞または誘導多能性細胞）を改変し、改変されたゲノムを卵母細胞などの適切な細胞に移行させるために核移植を使用するステップ、および胚を形成するのに適切な条件下で、非ヒト動物において、改変された細胞（例えば、改変された卵母細胞）を妊娠させるステップを含む。
【００９２】
一部の実施形態では、本発明の非ヒト動物は哺乳動物である。一部の実施形態では、本発明の非ヒト動物は、例えば、トビネズミ上科（Ｄｉｐｏｄｏｉｄｅａ）またはネズミ上科（Ｍｕｒｏｉｄｅａ）の、小型哺乳動物である。一部の実施形態では、本発明の遺伝子改変された動物は、げっ歯類である。一部の実施形態では、本発明のげっ歯類は、マウス、ラットおよびハムスターから選択される。一部の実施形態では、本発明のげっ歯類は、ネズミ上科から選択される。一部の実施形態では、本発明の遺伝子改変された動物は、ヨルマウス科（ｃａｌｏｍｙｓｃｉｄａｅ）（例えば、カンガルーハムスター（ｍｏｕｓｅ−ｌｉｋｅ  ｈａｍｓｔｅｒ））、キヌゲネズミ科（Ｃｒｉｃｅｔｉｄａｅ）（例えば、ハムスター、新世界ラットおよびマウス（Ｎｅｗ  Ｗｏｒｌｄ  ｒａｔ  ａｎｄ  ｍｏｕｓｅ）、ハタネズミ）、ネズミ科（トゥルーマウスおよびラット（ｔｒｕｅ  ｍｏｕｓｅ  ａｎｄ  ｒａｔ）、スナネズミ、トゲマウス（ｓｐｉｎｙ  ｍｏｕｓｅ）、タテガミラット（ｃｒｅｓｔｅｄ  ｒａｔ））、アシナガマウス科（Ｎｅｓｏｍｙｉｄａｅ）（キノボリマウス（ｃｌｉｍｂｉｎｇ  ｍｏｕｓｅ）、イワマウス（ｒｏｃｋ  ｍｏｕｓｅ）、オジロラット（ｗｉｔｈ−ｔａｉｌｅｄ  ｒａｔ）、マダガスカルラットおよびマウス（Ｍａｌａｇａｓｙ  ｒａｔ  ａｎｄ  ｍｏｕｓｅ））、トゲヤマネ科（Ｐｌａｔａｃａｎｔｈｏｍｙｉｄａｅ）（例えば、トゲヤマネ（ｓｐｉｎｙ  ｄｏｒｍｉｃｅ））およびメクラネズミ科（Ｓｐａｌａｃｉｄａｅ）（例えば、デバネズミ、タケネズミ（ｂａｍｂｏｏ  ｒａｔ）およびモグラネズミ（ｚｏｋｏｒ））から選択される科のものである。一部のある特定の実施形態では、本発明の遺伝子改変されたげっ歯類は、トゥルーマウスまたはラット（ネズミ科）、スナネズミ、トゲマウスおよびタテガミラットから選択される。一部のある特定の実施形態では、本発明の遺伝子改変されたマウスは、ネズミ科のメンバーのものである。一部の実施形態では、本発明の非ヒト動物は、げっ歯類である。一部のある特定の実施形態では、本発明のげっ歯類は、マウスおよびラットから選択される。一部の実施形態では、本発明の非ヒト動物はマウスである。
【００９３】
一部の実施形態では、本発明の非ヒト動物は、Ｃ５７ＢＬ／Ａ、Ｃ５７ＢＬ／Ａｎ、Ｃ５７ＢＬ／ＧｒＦａ、Ｃ５７ＢＬ／ＫａＬｗＮ、Ｃ５７ＢＬ／６、Ｃ５７ＢＬ／６Ｊ、Ｃ５７ＢＬ／６ＢｙＪ、Ｃ５７ＢＬ／６ＮＪ、Ｃ５７ＢＬ／１０、Ｃ５７ＢＬ／１０ＳｃＳｎ、Ｃ５７ＢＬ／１０ＣｒおよびＣ５７ＢＬ／Ｏｌａから選択されるＣ５７ＢＬ系統のマウスであるげっ歯類である。一部のある特定の実施形態では、本発明のマウスは、１２９Ｐ１、１２９Ｐ２、１２９Ｐ３、１２９Ｘ１、１２９Ｓ１（例えば、１２９Ｓ１／ＳＶ、１２９Ｓ１／ＳｖＩｍ）、１２９Ｓ２、１２９Ｓ４、１２９Ｓ５、１２９Ｓ９／ＳｖＥｖＨ、１２９／ＳｖＪａｅ、１２９Ｓ６（１２９／ＳｖＥｖＴａｃ）、１２９Ｓ７、１２９Ｓ８、１２９Ｔ１、１２９Ｔ２である系統からなる群より選択される１２９系統である（例えば、Ｆｅｓｔｉｎｇら、１９９９年、Ｍａｍｍａｌｉａｎ  Ｇｅｎｏｍｅ  １０巻：８３６頁；Ａｕｅｒｂａｃｈら、２０００年、Ｂｉｏｔｅｃｈｎｉｑｕｅｓ  ２９巻（５号）：１０２４〜１０２８頁、１０３０頁、１０３２頁を参照のこと）。一部のある特定の実施形態では、本発明の遺伝子改変されたマウスは、上述の１２９系統および上述のＣ５７ＢＬ／６系統のミックスである。一部のある特定の実施形態では、本発明のマウスは、上述の１２９系統のミックスまたは上述のＢＬ／６系統のミックスである。一部のある特定の実施形態では、本明細書に記載されるミックスの１２９系統は、１２９Ｓ６（１２９／ＳｖＥｖＴａｃ）系統である。一部の実施形態では、本発明のマウスは、ＢＡＬＢ系統、例えば、ＢＡＬＢ／ｃ系統である。一部の実施形態では、本発明のマウスは、ＢＡＬＢ系統および別の上述の系統のミックスである。
【００９４】
一部の実施形態では、本発明の非ヒト動物はラットである。一部のある特定の実施形態では、本発明のラットは、Ｗｉｓｔａｒラット、ＬＥＡ系統、Ｓｐｒａｇｕｅ  Ｄａｗｌｅｙ系統、Ｆｉｓｃｈｅｒ系統、Ｆ３４４、Ｆ６およびＤａｒｋ  Ａｇｏｕｔｉから選択される。一部のある特定の実施形態では、本明細書に記載されるラット系統は、Ｗｉｓｔａｒ、ＬＥＡ、Ｓｐｒａｇｕｅ  Ｄａｗｌｅｙ、Ｆｉｓｃｈｅｒ、Ｆ３４４、Ｆ６およびＤａｒｋ  Ａｇｏｕｔｉからなる群より選択される２またはそれ超の系統のミックスである。
【００９５】
ヒト化ＳＩＲＰα遺伝子を有する非ヒト動物を使用する方法
ＳＩＲＰα変異体およびトランスジェニック非ヒト動物（例えば、マウス）が報告されている（Ｉｎａｇａｋｉら、２０００年、ＥＭＢＯ  Ｊｏｕｒｎａｌ  １９巻（２４号）：６７２１〜６７３１頁；Ｓｔｒｏｗｉｇら、２０１１年、Ｐｒｏｃ．  Ｎａｔ．  Ａｃａｄ．  Ｓｃｉ．  １０８巻（３２号）：１３２１８〜１３２２３頁）。かかる動物は、ＳＩＲＰαの発現、機能および調節の分子的局面を決定するための種々のアッセイにおいて使用されてきた。しかし、これらには制限がないわけではない。例えば、ＳＩＲＰα変異体マウスの使用は、変異体形態のＳＩＲＰαを含有する細胞がシグナル伝達できないことから生じる有害な健康状態に起因して制限されてきた。さらに、ＳＩＲＰαに対するリガンドであるＣＤ４７は、ＳＩＲＰαの変異体形態と同じ細胞上に存在し得、両方のタンパク質が細胞内シグナルを提供することが可能であるので、かかる結果がＳＩＲＰαシグナル伝達の欠如に由来するのかＣＤ４７結合の欠如に起因するかを識別することは不可能である。ヒトＳＩＲＰαトランスジェニックマウスの場合、マウスＳＩＲＰαはインタクトかつ機能的である。従って、ヒトおよびマウスの両方のＳＩＲＰα受容体が存在しかつ機能的であるので、種々の生物学的プロセス（例えば、生着）におけるＳＩＲＰα依存的な機能は、これらのマウスにおけるヒトＳＩＲＰαまたはマウスＳＩＲＰαのいずれかの機能単独に明確に帰すことはできない。
【００９６】
本発明の非ヒト動物は、改善されたｉｎ  ｖｉｖｏ系、および種々のアッセイのために有用であるヒトＳＩＲＰαを発現する生物学的材料（例えば、細胞）の供給源を提供する。種々の実施形態では、本発明の非ヒト動物は、ＳＩＲＰαを標的化するおよび／またはＳＩＲＰα−ＣＤ４７シグナル伝達をモジュレートする治療剤を開発するために使用される。種々の実施形態では、本発明のマウスは、ヒトＳＩＲＰαに結合する候補治療剤（例えば、抗体）をスクリーニングおよび開発するために使用される。種々の実施形態では、本発明の非ヒト動物は、本明細書に記載される非ヒト動物の細胞の表面上のヒト化ＳＩＲＰαに対するアンタゴニストおよび／またはアゴニストの結合プロファイルを決定するために使用される。
【００９７】
種々の実施形態では、本発明の非ヒト動物は、ＳＩＲＰαシグナル伝達（例えば、リン酸化）を遮断またはモジュレートする治療効果、および細胞変化の結果としての遺伝子発現に対する効果を測定するために使用される。種々の実施形態では、それらから単離された細胞の本発明の非ヒト動物は、非ヒト動物の細胞の表面上のヒトＳＩＲＰαに結合する候補治療剤に曝露され、引き続く期間の後、ＳＩＲＰα依存的プロセス、例えば、Ｂ細胞および／またはＴ細胞の増殖、血小板のクリアランスならびにサイトカイン発現の誘導に対する影響について分析される。
【００９８】
本発明の非ヒト動物は、ヒト化ＳＩＲＰαタンパク質を発現し、従って、細胞、細胞株および細胞培養物は、例えば、特にアンタゴニストまたはアゴニストがヒトＳＩＲＰα配列またはエピトープに対して特異的である場合、ＳＩＲＰαのアンタゴニストまたはアゴニストの結合または機能についてアッセイするための結合アッセイおよび機能的アッセイにおける使用のための、ヒト化ＳＩＲＰαの供給源として機能するように生成され得る。種々の実施形態では、本明細書に記載される非ヒト動物によって発現されるヒト化ＳＩＲＰαタンパク質は、バリアントアミノ酸配列を含み得る。リガンド結合残基と関連するバリエーションを有するバリアントヒトＳＩＲＰαタンパク質が、報告されている。種々の実施形態では、本発明の非ヒト動物は、ヒト化ＳＩＲＰαタンパク質バリアントを発現する。種々の実施形態では、このバリアントは、リガンド結合と関連するアミノ酸位置において多型である。種々の実施形態では、本発明の非ヒト動物は、ヒトＳＩＲＰαの多型バリアントとの相互作用を介したリガンド結合の影響を決定するために使用される。
【００９９】
本発明の非ヒト動物由来の細胞は、臨時に単離および使用され得、または多くの世代にわたって、培養物中で維持され得る。種々の実施形態では、本発明の非ヒト動物由来の細胞は、不死化され、培養物中で無制限に（例えば、連続培養で）維持される。
【０１００】
種々の実施形態では、本発明の非ヒト動物の細胞は、ヒトＳＩＲＰαをモジュレートする候補治療剤をスクリーニングおよび開発するために、細胞遊走アッセイまたは細胞伸展アッセイにおいて使用される。かかるプロセスは、創傷治癒、分化、増殖および生存を含む多くの細胞プロセスに必要である。
【０１０１】
種々の実施形態では、本発明の非ヒト動物の細胞は、ヒトＳＩＲＰαを標的化する候補治療剤の薬力学的毒物学的（ｐｈａｒｍａｃｏ−ｔｏｘｉｃｏｌｏｇｉｃａｌ）局面を試験するために、巨核球コロニー形成細胞についてのクローンアッセイにおいて使用される。
【０１０２】
種々の実施形態では、本発明の非ヒト動物の細胞は、食作用のＳＩＲＰα依存的調節をモジュレートする化合物または生物学的作用因子の治療潜在力を決定するために、食作用アッセイにおいて使用される。
【０１０３】
本発明の非ヒト動物は、薬物またはワクチンの分析および試験のためのｉｎ  ｖｉｖｏ系を提供する。種々の実施形態では、候補薬物またはワクチンは、１または複数の本発明の非ヒト動物に送達され得、その後、その薬物もしくはワクチンに対する免疫応答、その薬物もしくはワクチンの安全性プロファイル、または疾患もしくは状態に対する影響のうち１または複数を決定するために、非ヒト動物がモニタリングされ得る。かかる薬物またはワクチンは、かかる非ヒト動物において改善および／または開発され得る。
【０１０４】
本発明の非ヒト動物は、養子移入を介してヒト細胞−細胞相互作用の機構を解明する、改善されたｉｎ  ｖｉｖｏ系を提供する。種々の実施形態では、本発明の非ヒト動物には、腫瘍異種移植片が植え込まれ得、その後、腫瘍浸潤性リンパ球の第２の植え込みが、固形腫瘍または他の悪性疾患の根絶における有効性を決定するために、養子移入によって非ヒト動物において植え込まれ得る。かかる実験は、非ヒト動物の内因性ＳＩＲＰαと競合せずに、ヒトＳＩＲＰαの排他的な存在に起因して、ヒト細胞を用いて行われ得る。さらに、異種移植における使用のための治療および医薬品が、かかる非ヒト動物において改善および／または開発され得る。
【０１０５】
本発明の非ヒト動物は、生着を介したヒト造血幹細胞の維持および発達のための改善されたｉｎ  ｖｉｖｏ系を提供する。種々の実施形態では、本発明の非ヒト動物は、この非ヒト動物内での、ヒト幹細胞の改善された発達および維持を提供する。種々の実施形態では、分化したヒトＢ細胞およびＴ細胞の増加した集団は、非ヒト動物の血液、骨髄、脾臓および胸腺において観察される。種々の実施形態では、本発明の非ヒト動物は、マウスＳＩＲＰαおよびヒトＳＩＲＰαの両方を発現する非ヒト動物と比較して、ヒト細胞の生着のレベルにおける増加を提供する。
【０１０６】
本発明の非ヒト動物は、ヒト細胞を標的化する治療薬物の効力を評価するために使用され得る。種々の実施形態では、本発明の非ヒト動物には、ヒト細胞が移植され、かかるヒト細胞を標的化する薬物候補が、かかる動物に投与される。次いで、薬物の治療効力が、薬物の投与後に、非ヒト動物中のヒト細胞をモニタリングすることによって、決定される。非ヒト動物において試験され得る薬物には、ヒト細胞を標的化する（例えば、ヒト細胞に結合するおよび／またはヒト細胞に対して作用する）ことによってヒトの疾患および状態の処置に対する意図した治療効果を有する、小分子化合物、即ち、１５００ｋＤ未満、１２００ｋＤ未満、１０００ｋＤ未満または８００ダルトン未満の分子量の化合物、および高分子化合物（例えば、タンパク質、例えば、抗体）の両方が含まれる。
【０１０７】
一部の実施形態では、この薬物は抗がん薬物であり、これらのヒト細胞は、原発性がんの細胞、または原発性がんから樹立された細胞株の細胞であり得る、がん細胞である。これらの実施形態では、本発明の非ヒト動物には、ヒトがん細胞が移植され、抗がん薬物が、この非ヒト動物に与えられる。薬物の効力は、非ヒト動物におけるヒトがん細胞の成長または転移が、薬物の投与の結果として阻害されるか否かを評価することによって、決定され得る。
【０１０８】
具体的な実施形態では、この抗がん薬物は、ヒトがん細胞上の抗原に結合する抗体分子である。特定の実施形態では、この抗がん薬物は、ヒトがん細胞上の抗原に結合し、かつ他のヒト細胞、例えば、Ｂ細胞およびＴ細胞などのヒト免疫系の細胞（または「ヒト免疫細胞」）上の抗原に結合する、二重特異性抗体である。
【０１０９】
一部の実施形態では、本発明の非ヒト動物に、ヒト免疫細胞またはヒト免疫細胞に分化する細胞を生着させる。生着したヒト免疫細胞を有するかかる非ヒト動物には、ヒトがん細胞が移植され、ヒトがん細胞上の抗原およびヒト免疫細胞（例えば、Ｔ細胞）上の抗原に結合する二重特異性抗体などの抗がん薬物が投与される。二重特異性抗体の治療効力は、非ヒト動物におけるヒトがん細胞の成長または転移を阻害するその能力に基づいて、評価され得る。具体的な一実施形態では、本発明の非ヒト動物に、ヒト免疫細胞（とりわけ、Ｔ細胞、Ｂ細胞、ＮＫ細胞を含む）を生じるヒトＣＤ３４＋造血前駆細胞を生着させる。ヒトＢ細胞リンパ腫細胞（例えば、Ｒａｊｉ細胞）が、生着したヒト免疫細胞を有するかかる非ヒト動物中に移植され、これに、次いで、非ヒト動物において腫瘍成長を阻害する二重特異性抗体の能力を試験するために、ＣＤ２０（正常Ｂ細胞およびある特定のＢ細胞悪性疾患上の抗原）およびＴ細胞受容体のＣＤ３サブユニットに結合する二重特異性抗体が投与される。
【実施例】
【０１１０】
以下の実施例は、本発明の方法および組成物を作製および使用する方法を当業者に記述するために提供され、本発明者らが本発明者らの発明とみなすものの範囲を限定することを意図しない。特記しない限り、温度はセルシウスで示され、圧力は、大気圧またはその近傍である。
【０１１１】
実施例１  内因性シグナル調節タンパク質（ＳＩＲＰ）遺伝子のヒト化
この実施例は、げっ歯類（例えば、マウス）などの非ヒト哺乳動物においてシグナル調節タンパク質アルファ（ＳＩＲＰα）をコードする内因性遺伝子をヒト化する例示的な方法を示す。ヒトＳＩＲＰαは、少なくとも１０の対立遺伝子形態で存在することが公知である。この実施例に記載される方法は、任意のヒト対立遺伝子、または所望によりヒト対立遺伝子（または対立遺伝子断片）の組合せを使用して、非ヒト動物の内因性ＳＩＲＰα遺伝子をヒト化するために使用され得る。この実施例では、ヒトＳＩＲＰαバリアント１が、マウスの内因性ＳＩＲＰα遺伝子をヒト化するために使用される。
【０１１２】
ＳＩＲＰ（例えば、ＳＩＲＰα）遺伝子の細胞外領域のヒト化のための標的化ベクターを、ＶＥＬＯＣＩＧＥＮＥ（登録商標）テクノロジーを使用して構築した（例えば、米国特許第６，５８６，２５１号およびＶａｌｅｎｚｕｅｌａら（２００３年）Ｈｉｇｈ−ｔｈｒｏｕｇｈｐｕｔ  ｅｎｇｉｎｅｅｒｉｎｇ  ｏｆ  ｔｈｅ  ｍｏｕｓｅ  ｇｅｎｏｍｅ  ｃｏｕｐｌｅｄ  ｗｉｔｈ  ｈｉｇｈ−ｒｅｓｏｌｕｔｉｏｎ  ｅｘｐｒｅｓｓｉｏｎ  ａｎａｌｙｓｉｓ、Ｎａｔｕｒｅ  Ｂｉｏｔｅｃｈ．  ２１巻（６号）：６５２〜６５９頁を参照のこと）。
【０１１３】
簡潔に述べると、マウス細菌人工染色体（ＢＡＣ）クローンｂＭＱ−２６１Ｈ１４を改変して、内因性ＳＩＲＰα遺伝子のエクソン２〜４を含有する配列を欠失させ、ヒトＢＡＣクローンＣＴＤ−３０３５Ｈ２１を使用してヒトＳＩＲＰα遺伝子のエクソン２〜４を挿入した。内因性ＳＩＲＰα遺伝子のエクソン２〜４に対応するゲノムＤＮＡ（約８５５５ｂｐ）を、ＢＡＣクローンＣＴＤ−３０３５Ｈ２１由来のヒトＳＩＲＰα遺伝子のエクソン２〜４を含有する約８５８１ｂｐのＤＮＡ断片によって、ＢＡＣクローンｂＭＱ−２６１Ｈ１４において置き換えた。ＢＡＣクローンＣＴＤ−３０３５Ｈ２１中に含有されるヒトＳＩＲＰα対立遺伝子の配列分析により、ヒトバリアント１に対応する対立遺伝子が明らかになった。ｌｏｘＰ部位が隣接するネオマイシンカセットを、ヒトＳＩＲＰα遺伝子のエクソン２〜４を含有する約８５８１ｂｐのヒトＤＮＡ断片の最後に添加した（図１）。
【０１１４】
上流および下流の相同性アームを、それぞれエクソン２および４の５’および３’の位置においてマウスＢＡＣ  ＤＮＡから取得し、約８５８１ｂｐのヒト断片−ネオマイシンカセットに付加して、内因性ＳＩＲＰα遺伝子のヒト化のための最終的な標的化ベクターを創出し、このベクターは、内因性ＳＩＲＰα遺伝子のエクソン２の５’側の１９ｋｂのマウスＤＮＡを含有する５’相同性アーム、ヒトＳＩＲＰα遺伝子のエクソン２〜４を含有する約８５８１ｂｐのＤＮＡ断片、ｌｏｘＰ部位が隣接するネオマイシンカセット、および内因性ＳＩＲＰα遺伝子のエクソン４の３’側の２１ｋｂのマウスＤＮＡを含有する３’相同性アームを、５’側から３’側へと含有していた。標的化ベクターの標的化された挿入は、エクソン４とエクソン５との間のマウスＳＩＲＰα遺伝子の５番目のイントロン中にネオマイシンカセットを位置付けた。この標的化ベクターを、ＳｗａＩで消化することによって線状化し、次いで、細菌細胞における相同組換えにおいて使用して、マウスＳＩＲＰα遺伝子中のエクソン２〜４の、ヒトＳＩＲＰα遺伝子のエクソン２〜４による標的化された置き換えを達成した（図１）。
【０１１５】
標的化されたＢＡＣ  ＤＮＡ（上記）を使用して、マウスＥＳ細胞をエレクトロポレーションして、内因性マウスＳＩＲＰα遺伝子中のエクソン２〜４の、ヒトＳＩＲＰα遺伝子のエクソン２〜４を含むゲノム断片による置き換えを含む、改変されたＥＳ細胞を創出した。ヒトＳＩＲＰα遺伝子のエクソン２〜４を含むゲノム断片を含有する陽性ＥＳ細胞を、ＴＡＱＭＡＮ（商標）プローブを使用する定量的ＰＣＲによって同定した（ＬｉｅおよびＰｅｔｒｏｐｏｕｌｏｓ、１９９８年．  Ｃｕｒｒ．  Ｏｐｉｎ．  Ｂｉｏｔｅｃｈｎｏｌｏｇｙ  ９巻：４３〜４８頁）。上流の挿入点を横断するヌクレオチド配列は、その挿入点に存在するヒトＳＩＲＰαゲノム配列と連続して連結された挿入点の上流の内因性マウス配列（以下の括弧内に含有される）を示す、以下を含んでいた：
【０１１６】
【化１】
2019047818.tif 000009
【０１１７】
ネオマイシンカセットの５’末端における下流の挿入点を横断するヌクレオチド配列は、挿入点の下流のカセット配列と連続したヒトＳＩＲＰαゲノム配列（イタリックのｌｏｘＰ配列と共に以下の括弧内に含有される）を示す、以下を含んでいた：
【０１１８】
【化２】
2019047818.tif 000010
【０１１９】
ネオマイシンカセットの３’末端における下流の挿入点を横断するヌクレオチド配列は、内因性ＳＩＲＰα遺伝子のエクソン４の３’側のマウスゲノム配列（以下の括弧内に含有される）と連続したカセット配列を示す、以下を含んでいた：
【０１２０】
【化３】
2019047818.tif 000011
【０１２１】
次いで、陽性ＥＳ細胞クローンを使用して、ＶＥＬＯＣＩＭＯＵＳＥ（登録商標）法（例えば、米国特許第７，２９４，７５４号およびＰｏｕｅｙｍｉｒｏｕら  ２００７年、Ｆ０  ｇｅｎｅｒａｔｉｏｎ  ｍｉｃｅ  ｔｈａｔ  ａｒｅ  ｅｓｓｅｎｔｉａｌｌｙ  ｆｕｌｌｙ  ｄｅｒｉｖｅｄ  ｆｒｏｍ  ｔｈｅ  ｄｏｎｏｒ  ｇｅｎｅ−ｔａｒｇｅｔｅｄ  ＥＳ  ｃｅｌｌｓ  ａｌｌｏｗｉｎｇ  ｉｍｍｅｄｉａｔｅ  ｐｈｅｎｏｔｙｐｉｃ  ａｎａｌｙｓｅｓ  Ｎａｔｕｒｅ  Ｂｉｏｔｅｃｈ．  ２５巻（１号）：９１〜９９頁を参照のこと）を使用して、雌性マウスに植え込み、マウスの内因性ＳＩＲＰα遺伝子中へのヒトＳＩＲＰα遺伝子のエクソン２〜４の挿入を含有する同腹仔を生成した。
【０１２２】
上記標的化したＥＳ細胞をドナーＥＳ細胞として使用し、８細胞段階のマウス胚中に、ＶＥＬＯＣＩＭＯＵＳＥ（登録商標）法（上記）によって導入した。内因性ＳＩＲＰα遺伝子のエクソン２〜４のヒト化を保有するマウスを、ヒトＳＩＲＰα遺伝子配列の存在を検出する対立遺伝子アッセイ（Ｖａｌｅｎｚｕｅｌａら、上記）の改変を使用して遺伝子型決定することによって同定した。
【０１２３】
ヒト化ＳＩＲＰα遺伝子構築物（即ち、マウスＳＩＲＰα遺伝子中にヒトＳＩＲＰαのエクソン２〜４を含有する）を保有するマウスは、例えば、ＥＳ細胞段階または胚において、除去されていない、標的化ベクターによって導入された任意のｌｏｘ化ネオマイシンカセットを除去するために、Ｃｒｅ  ｄｅｌｅｔｏｒマウス系統（例えば、国際特許出願公開番号ＷＯ２００９／１１４４００を参照のこと）と交配させることができる。任意選択で、このネオマイシンカセットは、マウスにおいて保持される。
【０１２４】
仔を遺伝子型決定し、ヒト化ＳＩＲＰα遺伝子構築物についてヘテロ接合性の仔を、特徴付けのために選択した。
【０１２５】
実施例２  非ヒト動物におけるヒト化ＳＩＲＰαの発現
この実施例は、内因性ＳＩＲＰα遺伝子座において実施例１に記載したヒト化ＳＩＲＰα遺伝子構築物を含有するように操作された非ヒト動物由来の細胞の表面上でのＳＩＲＰαタンパク質の特徴的発現を示す。
【０１２６】
簡潔に述べると、脾臓を、野生型（ＷＴ）およびヒト化ＳＩＲＰα遺伝子についてヘテロ接合性のマウスから単離した。次いで、脾臓を、コラゲナーゼＤ（Ｒｏｃｈｅ  Ｂｉｏｓｃｉｅｎｃｅ）で灌流し、赤血球を、製造業者の仕様書に従ってＡＣＫ溶解緩衝液を用いて溶解させた。マウスおよびヒトＳＩＲＰαの細胞表面発現を、蛍光色素結合体化抗ＣＤ３（１７Ａ２）、抗ＣＤ１９（１Ｄ３）、抗ＣＤ１１ｂ（Ｍ１／７０）、抗ヒトＳＩＲＰα（ＳＥ５Ａ５）および抗マウスＳＩＲＰα（Ｐ８４）を使用するＦＡＣＳによって分析した。フローサイトメトリーを、ＢＤ  ＬＳＲＦＯＲＴＥＳＳＡ（商標）を使用して実施した。ＣＤ１１ｂ＋単球の表面上で検出されるヒトおよびマウスのＳＩＲＰαの例示的な発現を、図２に示す。
【０１２７】
図２に示すように、マウスＳＩＲＰαおよびヒト化ＳＩＲＰαの両方の発現は、ヘテロ接合性のマウス由来のＣＤ１１ｂ＋単球の表面上で明らかに検出可能であった。
【０１２８】
実施例３  ヒト化ＳＩＲＰ非ヒト動物におけるヒト細胞生着
この実施例は、ヒト化ＳＩＲＰα遺伝子を有する本発明の非ヒト動物におけるヒト造血幹細胞の改善された生着を示す。
【０１２９】
簡潔に述べると、ヒト化ＳＩＲＰα遺伝子を有するまたは有さないＲａｇ２  ＫＯ  ＩＬ２Ｒγヌルマウスを、病原体フリーの条件下で飼育した。新生仔マウス（２〜５日齢）に、２４０ｃＧｙを照射し、１×１０５のＣＤ３４＋ヒト造血幹細胞を肝内注射した。これらのマウスを、生着後１０〜１２週間採血し、血液を、蛍光色素結合体化抗ヒトＣＤ４５（ＨＩ３０）、抗ヒトＣＤ３（ＳＫ７）、抗ヒトＣＤ１９（ＨＩＢ１９）および抗マウスＣＤ４５（３０−Ｆ１１）を使用するＦＡＣＳによって分析して、ヒト免疫系の再構成についてチェックした。このマウスの遺伝的背景は、ＢＡＬＢ／ｃＴａ×１２９／ＳｖＪａｅである。
【０１３０】
野生型、ヒト化ＳＩＲＰαについてヘテロ接合性のマウス、ヒト化ＳＩＲＰαについてホモ接合性のマウスおよびＢＡＬＢ−Ｒａｇ２−／−ＩＬ２Ｒγｃ−／−（ＤＫＯ）マウスにおけるヒトＣＤ３４＋細胞の例示的な百分率を、図３〜５に示す。
【０１３１】
この実施例で示すように、ヒト化ＳＩＲＰα遺伝子についてホモ接合性のマウスは、試験した他の系統と比較して、末梢（例えば、血液）において最も高い百分率のヒトＣＤ３４＋細胞を提供することによって、ヒトＣＤ３４＋細胞の改善された生着を実証している。
【０１３２】
まとめると、これらのデータは、ヒト化ＳＩＲＰαが、マウス中の細胞の表面上での発現を介して本明細書に記載されるマウスにおいて機能的であり、ヒトＣＤ３４＋造血幹細胞の生着を支持することが可能になり始めることを実証している。
【０１３３】
実施例４  ＢＲＧマウスにおけるＲａｊｉリンパ腫腫瘍成長に対するＡｂ１の効力の評価
概要
Ａｂ１は、Ｔ細胞受容体（ＴＣＲ）複合体と会合するＴ細胞抗原ＣＤ３ならびに正常Ｂ細胞およびいくつかのＢ細胞系譜の悪性疾患上に存在するＢ細胞表面抗原ＣＤ２０に結合する、二重特異性抗体（ｂｓＡｂ）である。Ａｂ１は、ＴＣＲのＣＤ３サブユニットへの結合によって、ＣＤ２０発現細胞を細胞傷害性Ｔ細胞と架橋し、ＣＤ２０指向性のポリクローナルＴ細胞死滅を生じるように設計される。ＣＤ２０は、免疫療法のための臨床的に検証された標的である；キメラ抗体リツキシマブは、非ホジキンリンパ腫（ＮＨＬ）および慢性リンパ性白血病（ＣＬＬ）の処置のために承認されている。患者は、リツキシマブに対して無反応性になり得るが、ＣＤ２０の発現の喪失は、典型的には観察されない。従って、ＣＤ２０陽性腫瘍細胞を細胞傷害性Ｔ細胞と架橋する二重特異性抗体は、潜在的な抗腫瘍戦略を提示する。
【０１３４】
この研究では、ヒトＢ細胞リンパ腫（Ｒａｊｉ）腫瘍成長に対するＣＤ２０×ＣＤ３  ｂｓＡｂ  Ａｂ１を用いた処置の効果を、マウス腫瘍モデルにおいて試験した。このモデルは、ＳＩＲＰαについてヒト化された、ｈＣＤ３４＋を生着させたＢＡＬＢ／ｃ−Ｒａｇ２ヌル  ＩＬ２ｒγヌル（ＢＲＧ）マウスを利用した。ヒトＴ細胞、Ｂ細胞およびＮＫ細胞、ならびに顆粒球、単球および樹状細胞（ＤＣ）を有するこれらのマウスを、１週間に２回Ａｂ１で処置したところ、ビヒクル対照および非結合対照ｍＡｂ、対照Ａｂ５と比較して、Ｒａｊｉ腫瘍成長の有意な抑制を生じた。Ａｂ１処置は、処置期間を通じて、ビヒクル対照群よりも高い有意性で、０．４ｍｇ／ｋｇおよび０．０４ｍｇ／ｋｇの両方において、腫瘍成長を抑制した（ｐ＜０．０００１）。いずれの処置群でも、有意な体重減少は観察されなかった。これらの結果は、Ａｂ１が、ヒト免疫細胞を有するマウスにおいてＲａｊｉ腫瘍を標的化し、有意な腫瘍抑制を生じることを示している。
【０１３５】
材料および方法
材料
試験化合物および対照抗体
試験化合物：Ａｂ１
対照抗体：対照Ａｂ５。
【０１３６】
試薬
【０１３７】
【表４】
2019047818.tif 000012
【０１３８】
試験系
この報告において提示される腫瘍研究は、シグナル調節タンパク質アルファ（ＳＩＲＰα）遺伝子についてヒト化した、２４〜３２週齢の雄性および雌性ＢＡＬＢ／ｃ−Ｒａｇ２ヌル  ＩＬ２ｒγヌル（ＢＲＧ）免疫不全マウスを使用した。これらは、胚性幹（ＥＳ）細胞標的化によって、Ｒｅｇｅｎｅｒｏｎにおいて生成した（Ｓｔｒｏｗｉｇら、Ｐｒｏｃ  Ｎａｔｌ  Ａｃａｄ  Ｓｃｉ  Ｕ  Ｓ  Ａ、１０８巻（３２号）：１３２１８〜１３２２３頁（２０１１年））。ＣＤ４７の認識の際に、ＳＩＲＰαは、マクロファージによるＣＤ４７陽性細胞のクリアランスを阻害する。以前の研究は、ヒトＳＩＲＰα導入遺伝子を発現するＢＲＧマウスが、ヒトＨＳＣの生着を増強したことを示している（Ｓｔｒｏｗｉｇら、Ｐｒｏｃ  Ｎａｔｌ  Ａｃａｄ  Ｓｃｉ  Ｕ  Ｓ  Ａ、１０８巻（３２号）：１３２１８〜１３２２３頁（２０１１年））。
【０１３９】
新生仔ＳＩＲＰα  ＢＲＧ仔に照射し、胎児肝臓から誘導したｈＣＤ３４＋造血前駆細胞を生着させた（Ｔｒａｇｇｉａｉら、Ｓｃｉｅｎｃｅ、３０４巻（５６６７号）：１０４〜１０７頁（２００４年））。これらのヒトＨＳＣは、ヒトＴ細胞、Ｂ細胞およびＮＫ細胞、ならびに顆粒球、単球および樹状細胞（ＤＣ）を生じる。低いレベルの循環ヒトＢ細胞に起因して、低いレベルの循環ヒトＩｇＧが存在する。さらに、これらのマウスは、胚中心を発達させず、リンパ節を欠き、Ｔ細胞およびＢ細胞が枯渇した場合、制限されたこれらの細胞の補充を有する。マウスの単球、ＤＣおよび顆粒球も同様に存在し続ける。免疫細胞の組成を、血液のフローサイトメトリーによって確認し、マウスを、腫瘍研究における使用の前に、％ヒトＣＤ４５生着によってランダム化した。マウスに、０日目にＲａｊｉ腫瘍細胞を植え込み、４週間にわたる、Ａｂ１が腫瘍成長を遮断する能力を試験した。体重および腫瘍体積を、植え込みの３、６、９、１３、１６、２０、２３、２７、３０および３４日後に記録した。
【０１４０】
実験設計
ＳＩＲＰα  ＢＲＧマウスにおけるヒト免疫系の再構成
免疫不全ＢＡＬＢ／ｃ  Ｒａｇ２  ／−γｃ−／−（ＢＲＧ）ヒトＳＩＲＰアルファ（ＳＩＲＰα  ＢＲＧ）マウスを、Ｒｅｇｅｎｅｒｏｎ動物施設において、無菌隔離飼育器において飼育した。新生仔マウスを、ヒト胎児肝臓から単離されたヒトＣＤ３４＋造血幹細胞（ＨＳＣ）の注射の８〜２４時間前に、３００ｃＧｒｅｙの１回の線量で照射した。生着を、１２〜１６週間発達させ、生着した細胞の数を、フローサイトメトリーによって定期的に評価した。実験の持続時間全体について、動物を、食物および水への自由なアクセスと共に、１２時間の昼／夜リズムの標準的な条件下で、Ｒｅｇｅｎｅｒｏｎ動物施設において収容した。ケージ当たりの動物の数を、最大５匹のマウスに制限した。
【０１４１】
マウス血液を分析して、研究を開始する前のパーセント生着レベルを決定した。全血を、２％ＥＤＴＡ（エチレンジアミン四酢酸；１５ｍｇ／ｍＬ）１５０ｕＬを含有する２つの毛細管チューブ中に収集した。赤血球を、ＡＣＫ溶解緩衝液を使用して３分間溶解させ、緩衝液を、ＰＢＳ（カルシウムもマグネシウムも含まない）で中和した。細胞を、Ｆｃ  Ｂｌｏｃｋで４℃で５分間ブロックし、次いで、ヒトＣＤ４５、ＮＫｐ４６、ＣＤ１９、ＣＤ３およびＣＤ１４で４℃で３０分間染色した。試料を、５レーザーフローサイトメトリー（ＢＤ  Ｆｏｒｔｅｓｓａ）によって分析した。パーセント生着を、総細胞の％ヒトＣＤ４５＋細胞として決定した。
【０１４２】
ＳＩＲＰα  ＢＲＧマウスにおけるＲａｊｉ腫瘍研究手順
０日目に、５匹のＳＩＲＰα  ＢＲＧマウスの群に、２×１０６のＲａｊｉ腫瘍細胞を皮下投与した。同じ日に、マウスを、Ａｂ１（０．４または０．０４ｍｇ／ｋｇ）、０．４ｍｇ／ｋｇの用量の非結合対照ｍＡｂ対照Ａｂ５（これは、ヒトＣＤ２０またはＣＤ３との交差反応性なしに、ネコ抗原に結合する）またはビヒクル単独のいずれかの、腹腔内（ＩＰ）用量によって処置した。マウスは引き続いて、４週間にわたり２用量の抗体／週を受けた。腫瘍成長を、３、６、９、１３、１６、２０、２３、２７、３０および３４日目にノギスを用いて測定した。研究群を表５にまとめる。
【０１４３】
【表５】
2019047818.tif 000013
【０１４４】
具体的手順
試薬の調製
Ａｂ１および対照Ａｂ５を、各々、ビヒクル（１０ｍＭヒスチジン、５％スクロース、ｐＨ５．８）中で所望の濃度になるように希釈した。Ｒａｊｉ細胞は、Ｒｅｇｅｎｅｒｏｎコア施設から取得し（継代４）、培養培地（ＲＰＭＩ  １６４０＋１０％ＦＢＳ＋Ｐｅｎ  Ｓｔｒｅｐ−Ｌ−Ｇｌｕ＋メルカプトエタノール）中で維持した。Ｒａｊｉ細胞を、培地中で所望の濃度になるように希釈した。
【０１４５】
統計分析
統計分析を、ＧｒａｐｈＰａｄソフトウェアＰｒｉｓｍ５．０（ＭａｃＩｎｔｏｓｈ  Ｖｅｒｓｉｏｎ）を利用して実施した。統計的有意性を、Ｔｕｋｅｙの多重比較事後検定を用いた二元配置ＡＮＯＶＡによって決定した。読み出しの各々からのデータを、処置群にわたって比較した。ｐ＜０．０５の閾値を、統計的に有意とみなし、＊によって示した。研究の終了前に死亡したマウスは、二元配置ＡＮＯＶＡによって分析するために、示されるような、組み合わせた腫瘍成長曲線（個々のマウスの成長曲線ではない）グラフおよび統計分析から除去した。
【０１４６】
結果
Ａｂ１は、ｈＣＤ３４＋を生着させたＳＩＲＰα  ＢＲＧマウスにおけるＲａｊｉ腫瘍細胞成長を抑制する
Ａｂ１は、ｈＣＤ３４＋を生着させたＳＩＲＰα  ＢＲＧマウスにおいて、ビヒクル対照および非結合対照と比較して、Ｒａｊｉ腫瘍成長を抑制した（図６）。新生仔ＳＩＲＰα  ＢＲＧ仔に照射し、ヒトＴ細胞、Ｂ細胞およびＮＫ細胞、ならびに顆粒球、単球およびＤＣを生じる造血前駆細胞（Ｔｒａｇｇｉａｉら、Ｓｃｉｅｎｃｅ、３０４巻（５６６７号）：１０４〜１０７頁（２００４年））のように、ｈＣＤ３４＋胎児肝臓細胞を生着させた。０日目に、ｈＣＤ３４＋を生着させたＳＩＲＰα  ＢＲＧマウスに、２×１０６のＲａｊｉ腫瘍細胞を皮下投与した。同じ日に、マウスを、Ａｂ１（０．４または０．０４ｍｇ／ｋｇ）もしくは非結合対照ｍＡｂ対照Ａｂ５、またはビヒクル対照のいずれかの腹腔内（ＩＰ）用量で処置し、その後、研究を通じて１週間に２回の用量で処置した。
【０１４７】
ビヒクル対照群および非結合対照群と比較して、０．０４ｍｇ／ｋｇ（ｐ＜０．０００１）または０．４ｍｇ／ｋｇ（ｐ＜０．０００１）の用量で投与したＡｂ１は、腫瘍植え込みの３４日後に、Ｒａｊｉ腫瘍の増殖を有意に抑制した（図７）。さらに、Ａｂ１処置の効果は、用量依存的であり、０．４ｍｇ／ｋｇのＡｂ１は、３０日目までに腫瘍成長を完全に抑制した０．０４ｍｇ／ｋｇのＡｂ１と比較して、研究を通じて成長を完全に抑制した。Ａｂ１も非結合対照ｍＡｂも、研究を通じて、マウス体重に対して有意な影響を有さなかった（図８）。
【０１４８】
結論
Ｒａｊｉ腫瘍成長に対する、Ａｂ１、ＣＤ２０×ＣＤ３  ｂｓＡｂによる処置の影響を、マウスモデルにおいて試験した。Ａｂ１は、ヒトＴ細胞、Ｂ細胞およびＮＫ細胞、ならびに顆粒球、単球およびＤＣを有する、ｈＣＤ３４＋を生着させたＳＩＲＰα  ＢＲＧマウスにおける腫瘍成長抑制において有効であった。Ａｂ１による１週間に２回の処置は、ビヒクル対照および非結合対照と比較して、ＲａｊｉヒトＢ細胞リンパ腫腫瘍成長の有意かつ用量依存的な抑制を生じた。いずれの処置群でも、有意な体重減少は観察されなかった。これらの結果は、Ａｂ１が、ヒト免疫細胞を有するマウスにおいてＲａｊｉ腫瘍を標的化し、有意な腫瘍成長抑制を生じることを示している。
【０１４９】
等価物
本発明の少なくとも１つの実施形態のいくつかの態様をこうして記載してきたが、種々の変更、改変および改善が当業者に容易に想起されることが、当業者によって理解される。かかる変更、改変および改善は、本開示の一部であることが意図され、本発明の精神および範囲の内であることが意図される。従って、前述の説明および図面は、例としてに過ぎず、本発明は、以下の特許請求の範囲によって詳細に記載される。
【０１５０】
請求項の要素を修飾するための、特許請求の範囲における「第１の」、「第２の」、「第３の」などの序数用語の使用は、それ自体、方法の動作が実施される別の順序または一時的な順序を超える、１つの請求項要素の任意の優先度、優先性または順序を含意しないが、請求項要素を識別するために、同じ名称を有する別の要素（ただし序数用語の使用のため）から、ある特定の名称を有する１つの請求項要素を識別するための標識としてのみ使用される。
【０１５１】
冠詞「ａ」および「ａｎ」は、本明細書および特許請求の範囲において本明細書で使用する場合、逆を明らかに示さない限り、複数形の指示対象を含むと理解すべきである。群の１または複数のメンバー間に「または」を含む請求項または記述は、逆を示さない限り、または文脈から他の方法で明らかでない限り、群メンバーのうちの１つ、１つよりも多く、または全てが、所与の産物もしくはプロセス中に存在する場合、かかる産物もしくはプロセスにおいて使用される場合、またはかかる産物もしくはプロセスと他の方法で関連する場合に、満たされるとみなされる。本発明は、群の正確に１つのメンバーが、所与の産物もしくはプロセス中に存在する、かかる産物もしくはプロセスにおいて使用される、またはかかる産物もしくはプロセスと他の方法で関連する実施形態を含む。本発明はまた、１つよりも多い群メンバーまたは群メンバー全体が、所与の産物もしくはプロセス中に存在する、かかる産物もしくはプロセスにおいて使用される、またはかかる産物もしくはプロセスと他の方法で関連する実施形態も含む。さらに、特記しない限り、または矛盾もしくは不一致が生じることが当業者に明らかでない限り、本発明は、列挙した請求項のうち１または複数からの１または複数の限定、要素、条項、記述的用語などが同じ基本請求項（または適切な場合、任意の他の請求項）に従属する別の請求項中に導入される、全てのバリエーション、組合せおよび並べ替えを包含することを、理解すべきである。要素が（例えば、マーカッシュ群または類似の形式において）リストとして提示される場合、それらの要素の各下位群もまた開示され、任意の要素（複数可）がこの群から除去され得ることを、理解すべきである。一般に、本発明、または本発明の態様が、特定の要素、特徴などを含むと言われる場合、本発明のある特定の実施形態または本発明の態様は、かかる要素、特徴などからなるまたは本質的になることを、理解すべきである。簡潔性を目的として、これらの実施形態は、全ての場合において、本明細書で非常に多くの単語で具体的に示されているわけではない。本発明の任意の実施形態または態様は、具体的な排除が明細書中に列挙されているか否かに関わらず、特許請求の範囲から明示的に排除され得ることもまた、理解すべきである。
【０１５２】
当業者は、本明細書に記載されるアッセイまたは他のプロセスにおいて取得された値に起因する典型的な標準偏差または誤差を理解する。
【０１５３】
本発明の背景を記載するためおよびその実施に関するさらなる詳細を提供するために本明細書で参照される刊行物、ウェブサイトおよび他の参照材料は、参照により本明細書に組み込まれる。
（項目１）
ヒトＳＩＲＰαタンパク質の細胞外部分およびマウスＳＩＲＰαタンパク質の細胞内部分を含むＳＩＲＰαポリペプチドを発現するマウス。
（項目２）
ヒトＳＩＲＰαタンパク質の上記細胞外部分が、表３中に現れるヒトＳＩＲＰαタンパク質の残基２８〜３６２に対応するアミノ酸を含む、項目１に記載のマウス。
（項目３）
ヒトＳＩＲＰαタンパク質の上記細胞外部分が、表３中に現れるヒトＳＩＲＰαタンパク質の対応する細胞外部分と少なくとも５０％のパーセント同一性を共有する、項目１または２に記載のマウス。
（項目４）
表３中に現れるヒトＳＩＲＰαタンパク質の対応する細胞外部分との共有された上記パーセント同一性が、少なくとも６０％である、項目１または２に記載のマウス。
（項目５）
表３中に現れるヒトＳＩＲＰαタンパク質の対応する細胞外部分との共有された上記パーセント同一性が、少なくとも７０％である、項目１または２に記載のマウス。
（項目６）
表３中に現れるヒトＳＩＲＰαタンパク質の対応する細胞外部分との共有された上記パーセント同一性が、少なくとも８０％である、項目１または２に記載のマウス。
（項目７）
ヒトＳＩＲＰαタンパク質の上記細胞外部分が、表３中に現れるヒトＳＩＲＰαタンパク質の細胞外部分と少なくとも９０％同一である配列を有する、項目１または２に記載のマウス。
（項目８）
ヒトＳＩＲＰαタンパク質の上記細胞外部分が、表３中に現れるヒトＳＩＲＰαタンパク質の細胞外部分と少なくとも９５％同一である配列を有する、項目１または２に記載のマウス。
（項目９）
ヒトＳＩＲＰαタンパク質の上記細胞外部分が、表３中に現れるヒトＳＩＲＰαタンパク質の細胞外部分と同一である配列を有する、項目１または２に記載のマウス。
（項目１０）
表３中に現れる配列を有するマウスＳＩＲＰαタンパク質をも発現しない、上記項目のいずれか一項に記載のマウス。
（項目１１）
マウスＳＩＲＰαプロモーターに作動可能に連結したヒトＳＩＲＰα遺伝子のエクソン２、３および４を含むＳＩＲＰα遺伝子を含むマウス。
（項目１２）
上記ＳＩＲＰα遺伝子が、内因性ＳＩＲＰα遺伝子のエクソン１、５、６、７および８を含む、項目１１に記載のマウス。
（項目１３）
項目１２に記載のマウスの遺伝子によってコードされるＳＩＲＰαポリペプチド。
（項目１４）
単離されたマウス細胞または組織であって、そのゲノムが、マウスＳＩＲＰαタンパク質の細胞内部分に連結したヒトＳＩＲＰαタンパク質の細胞外部分をコードするＳＩＲＰα遺伝子を含む、単離されたマウス細胞または組織。
（項目１５）
上記ＳＩＲＰα遺伝子が、マウスＳＩＲＰαプロモーターに作動可能に連結している、項目１４に記載の単離された細胞または組織。
（項目１６）
上記ＳＩＲＰα遺伝子が、ヒトＳＩＲＰα遺伝子のエクソン２、３および４を含む、項目１４に記載の単離された細胞または組織。
（項目１７）
マウス胚性幹細胞であって、そのゲノムが、マウスＳＩＲＰαタンパク質の細胞内部分に連結したヒトＳＩＲＰαタンパク質の細胞外部分をコードするＳＩＲＰα遺伝子を含む、マウス胚性幹細胞。
（項目１８）
上記ＳＩＲＰα遺伝子が、マウスＳＩＲＰαプロモーターに作動可能に連結したヒトＳＩＲＰα遺伝子のエクソン２、３および４を含む、項目１７に記載のマウス胚性幹細胞。
（項目１９）
項目１７または１８に記載の胚性幹細胞から生成されたマウス胚。
（項目２０）
内因性ＳＩＲＰα遺伝子座からＳＩＲＰαタンパク質を発現するマウスを作製する方法であって、上記ＳＩＲＰαタンパク質はヒト配列を含み、上記方法は、以下：
（ａ）ヒトＳＩＲＰαタンパク質を全体的にまたは部分的にコードするヌクレオチド配列を含むゲノム断片を用いてマウスＥＳ細胞において内因性ＳＩＲＰα遺伝子座を標的化するステップ；
（ｂ）（ａ）のヒト配列を含む内因性ＳＩＲＰα遺伝子座を含む改変されたマウスＥＳ細胞を取得するステップ；および
（ｃ）（ｂ）の改変されたＥＳ細胞を使用してマウスを創出するステップ
を含む、方法。
（項目２１）
上記ヒトヌクレオチド配列が、ヒトＳＩＲＰα遺伝子のエクソン２、３および４を含む、項目２０に記載の方法。
（項目２２）
上記ヒトヌクレオチド配列が、ヒトＳＩＲＰαタンパク質のアミノ酸残基２８〜３６２をコードする、項目２０に記載の方法。
（項目２３）
項目２０〜２２のいずれか一項に記載の方法から取得可能なマウス。
（項目２４）
マウスであって、そのゲノムが、マウスＳＩＲＰαタンパク質の細胞内部分に連結したヒトＳＩＲＰαタンパク質の細胞外部分をコードするＳＩＲＰα遺伝子を含むマウスを提供する方法であって、マウスの上記ゲノムが、マウスＳＩＲＰαタンパク質の上記細胞内部分に連結したヒトＳＩＲＰαタンパク質の上記細胞外部分をコードするＳＩＲＰα遺伝子を含むように上記ゲノムを改変し、それによって、上記マウスを提供するステップを含む、方法。
（項目２５）
上記ＳＩＲＰα遺伝子が、ヒトＳＩＲＰα遺伝子のエクソン２、３および４を含む、項目２４に記載の方法。
（項目２６）
ヒト細胞をマウス中に生着させる方法であって、
（ａ）マウスであって、そのゲノムが、マウスＳＩＲＰαタンパク質の細胞内部分に連結したヒトＳＩＲＰαタンパク質の細胞外部分をコードするＳＩＲＰα遺伝子を含むマウスを提供するステップ；および
（ｂ）１または複数のヒト細胞を上記マウス中に移植するステップ
を含む、方法。
（項目２７）
（ｃ）上記マウスにおける１または複数の上記ヒト細胞の生着をアッセイするステップをさらに含む、項目２６に記載の方法。
（項目２８）
アッセイする上記ステップが、１または複数の上記ヒト細胞の上記生着を、１もしくは複数の野生型マウスにおける生着、または１もしくは複数のマウスであって、そのゲノムが、マウスＳＩＲＰαタンパク質の細胞内部分に連結したヒトＳＩＲＰαタンパク質の細胞外部分をコードするＳＩＲＰα遺伝子を含まない１もしくは複数のマウスにおける生着と比較することを含む、項目２７に記載の方法。
（項目２９）
上記ＳＩＲＰα遺伝子が、ヒトＳＩＲＰα遺伝子のエクソン２、３および４を含む、項目２６〜２８のいずれか一項に記載の方法。
（項目３０）
ヒトＳＩＲＰαタンパク質の上記細胞外部分が、表３中に現れるヒトＳＩＲＰαタンパク質の残基２８〜３６２に対応するアミノ酸を含む、項目２６〜２８のいずれか一項に記載の方法。
（項目３１）
上記ヒト細胞が造血幹細胞である、項目２６〜３０のいずれか一項に記載の方法。
（項目３２）
上記ヒト細胞が静脈内移植される、項目２６〜３１のいずれか一項に記載の方法。
（項目３３）
上記ヒト細胞が腹腔内移植される、項目２６〜３１のいずれか一項に記載の方法。
（項目３４）
上記ヒト細胞が皮下移植される、項目２６〜３１のいずれか一項に記載の方法。
（項目３５）
以下：
（ａ）１または複数の細胞であって、そのゲノムが、マウスＳＩＲＰαタンパク質の細胞内部分に連結したヒトＳＩＲＰαタンパク質の細胞外部分をコードするＳＩＲＰα遺伝子を含む１または複数の細胞を提供するステップ；
（ｂ）ステップ（ａ）の１または複数の細胞を、標識された基質と共にインキュベートするステップ；および
（ｃ）ステップ（ｂ）の１または複数の細胞による標識された上記基質の食作用を測定するステップ
を含む、方法。
（項目３６）
ステップ（ａ）の細胞がマウス細胞である、項目３５に記載の方法。
（項目３７）
上記ＳＩＲＰα遺伝子が、マウスＳＩＲＰαプロモーターに作動可能に連結している、項目３５または３６に記載の方法。
（項目３８）
上記ＳＩＲＰα遺伝子が、ヒトＳＩＲＰα遺伝子のエクソン２、３および４を含む、項目３５〜３７のいずれか一項に記載の方法。
（項目３９）
上記基質が、蛍光標識されている、項目３５〜３８のいずれか一項に記載の方法。
（項目４０）
上記基質が、抗体で標識されている、項目３５〜３８のいずれか一項に記載の方法。
（項目４１）
上記基質が、１または複数の赤血球である、項目３５〜４０のいずれか一項に記載の方法。
（項目４２）
上記基質が、１または複数の細菌細胞である、項目３５〜４０のいずれか一項に記載の方法。
（項目４３）
以下：
（ａ）マウスであって、そのゲノムが、マウスＳＩＲＰαタンパク質の細胞内部分に連結したヒトＳＩＲＰαタンパク質の細胞外部分をコードするＳＩＲＰα遺伝子を含むマウスを提供するステップ；
（ｂ）上記マウスを抗原に曝露させるステップ；および
（ｃ）上記マウスの１または複数の細胞による上記抗原の食作用を測定するステップ
を含む、方法。
（項目４４）
上記ＳＩＲＰα遺伝子が、マウスＳＩＲＰαプロモーターに作動可能に連結している、項目４３に記載の方法。
（項目４５）
上記ＳＩＲＰα遺伝子が、ヒトＳＩＲＰα遺伝子のエクソン２、３および４を含む、項目４３または４４のいずれか一項に記載の方法。
（項目４６）
曝露させる上記ステップが、蛍光標識された抗原に上記マウスを曝露させることを含む、項目４３〜４５のいずれか一項に記載の方法。
（項目４７）
曝露させる上記ステップが、上記抗原を含む１または複数の細胞に上記マウスを曝露させることを含む、項目４３〜４５のいずれか一項に記載の方法。
（項目４８）
曝露させる上記ステップが、上記抗原を含む１もしくは複数のヒト細胞、または上記抗原を含む１もしくは複数の細菌細胞に上記マウスを曝露させることを含む、項目４７に記載の方法。
（項目４９）
ヒト細胞を標的化する薬物の治療効力を評価する方法であって、上記方法は、以下：
マウスであって、そのゲノムが、マウスＳＩＲＰαタンパク質の細胞内部分に連結したヒトＳＩＲＰαタンパク質の細胞外部分をコードするＳＩＲＰα遺伝子を含むマウスを提供するステップ；
１または複数のヒト細胞を上記マウス中に移植するステップ；
薬物候補を上記マウスに投与するステップ；および
上記マウス中の上記ヒト細胞をモニタリングして、上記薬物候補の治療効力を決定するステップ
を含む、方法。
（項目５０）
上記ヒト細胞ががん細胞であり、上記薬物候補が抗がん薬物候補である、項目４９に記載の方法。
（項目５１）
上記薬物候補が抗体である、項目４９に記載の方法。
（項目５２）
上記マウスが、ヒト免疫細胞をさらに含む、項目５０に記載の方法。
（項目５３）
上記薬物候補が、上記ヒト免疫細胞上の抗原および移植された上記ヒトがん細胞上の抗原に結合する二重特異性抗体である、項目５２に記載の方法。
【図１】
2019047818.tif 000014
【図２】
2019047818.tif 000015
【図３】
2019047818.tif 000016
【図４】
2019047818.tif 000017
【図５】
2019047818.tif 000018
【図６】
2019047818.tif 000019
【図７】
2019047818.tif 000020
【図８】
2019047818.tif 000021
【配列表】
2019047818000001.app